(57)【特許請求の範囲】
【請求項１】
地表下地層を加熱する方法であって、
複数の加熱器のうちの少なくとも１つの加熱器の少なくとも１つのコンジットを通して熱伝導流体を循環させることにより少なくとも地表下地層の少なくとも一部へ、地層に複数の加熱器から熱を加えることと、
コンジットの熱膨張を吸収するように、坑口の１つ又は複数の滑りシールを用いて、少なくとも１つの加熱器の少なくとも１つのコンジットの一部が加熱器のそれぞれの坑口に対して移動することを可能にすることを含む、方法。
【請求項２】
複数の加熱器から熱を加えることが、加熱され熱伝導流体を、各加熱器の少なくとも１つのコンジットを通して循環させることを含む、請求項１の方法。
【請求項３】
坑口に対して移動する加熱器の一部が断熱される、請求項１に記載の方法。
【請求項４】
熱膨張による加熱器の長さの著しい変化が止まった後に、坑口に対してコンジットの位置を固定することをさらに含む、請求項１に記載の方法。
【請求項５】
地表下地層を加熱する方法であって、
熱伝導流体を各加熱器の少なくとも１つのコンジットを通して循環させることにより、地層に複数の加熱器から熱を加えることを含み、熱伝導流体は、各加熱器の前記コンジットと流体連通している固定コンジットを用いて前記コンジットに供給されまたは取り出され、
前記コンジットの熱膨張を吸収するように、コンジットと固定コンジットの間に位置する１つ又は複数の滑り継手を用いて、少なくとも１つの加熱器の少なくとも１つのコンジットの一部が固定コンジットに対して移動することを可能にすることを含む、方法。
【請求項６】
少なくとも１つの滑り継ぎ手の少なくとも一部が、少なくとも１つの流体シールを含み、流体シールが循環する熱伝導流体から空間的に分離される、請求項５に記載の方法。
【請求項７】
複数の加熱器から熱を加えることが、加熱され熱伝導流体を、各加熱器の少なくとも１つのコンジットを通して循環させることを含む、請求項５に記載の方法。
【請求項８】
固定コンジットに対して移動する加熱器の一部が断熱される、請求項５に記載の方法。
【請求項９】
熱膨張によるコンジットの長さの著しい変化が止まった後に、固定コンジットに対してコンジットの位置を固定することをさらに含む、請求項５に記載の方法。
【請求項１０】
地層内で加熱器の熱膨張を吸収する方法であって、
地層内の加熱された加熱器を用いて、地表下地層の一部に熱を供給することと、
地層から加熱器の一部を持ち上げて、加熱器の熱膨張を吸収することとを含む、方法。
【請求項１１】
複数の加熱器から熱を加えることが、加熱器を通して熱伝導流体を流すことを含む、請求項１０に記載の方法。
【請求項１２】
坑口から移動する加熱器の一部が断熱される、請求項１０に記載の方法。
【請求項１３】
熱膨張による加熱器の長さの著しい変化が止まった後に、加熱器が通る坑口に対して加熱器の位置を固定することをさらに含む、請求項１０に記載の方法。
【請求項１４】
地表下地層を加熱するためのシステムであって、
地層内に位置し、地層の少なくとも一部に熱を供給するように構成された複数の加熱器と、
加熱器の一部に結合された少なくとも１つの液圧リフターであって、加熱器の熱膨張の間、加熱器の熱膨張の前の液圧とほぼ同じ液圧を維持することにより、加熱器の熱膨張を吸収するように加熱器の一部又は複数の部分を地層から持ち上げるように構成されている少なくとも１つの液圧式リフターとを含む、システム。
【請求項１５】
複数の加熱器が、１つまたは複数の加熱器を通して熱伝導流体が循環されるときに、地表下地層の少なくとも一部に熱を供給するように構成されている、請求項１４に記載のシステム。
【請求項１６】
加熱器の測定された歪みに基づいて、液圧リフターによって使用中に加熱器に適用されるリフト量が制御される、請求項１４に記載のシステム。
【請求項１７】
液圧リフターが、熱膨張による加熱器の長さの著しい変化が止まった後に、加熱器が通る坑口に対して加熱器の位置を固定する、請求項１４に記載のシステム。
【発明の詳細な説明】
【技術分野】
【０００１】
本発明は、概して、炭化水素含有地層などの様々な地表下地層からの炭化水素、水素、および／または他の生成物の生成のための方法およびシステムに関する。特に、ある実施形態は、インサイチュ転化プロセスの間に、地層の一部を加熱するための閉ループ循環システムを使用することに関する。
【背景技術】
【０００２】
地下にある地層から得られる炭化水素は、エネルギー資源として、原材料として、消費財として数多く使用されている。入手可能な炭化水素資源の枯渇に対する懸念、および生成された炭化水素の全体特性を低下することに対する懸念は、入手可能な炭化水素資源のより効率的な回収、処理、および／または使用のためのプロセスの開発をもたらした。インサイチュプロセスが使用されて、地下にある地層から炭化水素材料を取り除くことが可能である。地下にある地層内の炭化水素材料の化学的性質、および／または物理的性質が変更されて、炭化水素材料が地下にある地層からより容易に取り除かれることを可能にする必要がある。化学的変化および物理的変化は、地層内の炭化水素材料の除去可能な流体、組成変化、可溶性変化、密度変化、相変化、および／または粘性変化を引き起こすインサイチュ反応を含んでいてもよい。流体は、ガス、液体、乳濁液、スラリー、および／または液体の流れに類似する流れ特性を有する固体粒子の流れであってもよいが、それらに限定されない。
【０００３】
様々なタイプの坑井または坑井穴が、インサイチュ熱処理プロセスを使用して、炭化水素含有地層を処理するために使用されることが可能である。実施形態によっては、垂直で、および／または実質的に垂直の坑井が地層を処理するために使用される。実施形態によっては、水平または実質的に水平の坑井（Ｊ形状の坑井、および／またはＬ形状の坑井）、および／またはＵ字形状の坑井が、地層を処理するために使用される。実施形態によっては、水平の坑井と垂直の坑井との組み合わせ、および／または他の組み合わせが、地層を処理するために使用される。ある実施形態では、坑井は、地層のオーバーバーデンを介して、地層の炭化水素含有層まで延在する。状況によっては、坑井内の熱は、オーバーバーデンに失われる。状況によっては、水平の坑井穴またはＵ字形状の坑井穴内で、加熱器、および／または生成装置を支持するために使用される地表基礎構造およびオーバーバーデン基礎構造は、サイズが大きく、および／または多数である。
【０００４】
Ｓａｎｄｂｅｒｇらの米国特許第７，５７５，０５２号明細書は、１つまたは複数の処理領域を加熱するために循環システムを利用するインサイチュ熱処理プロセスを記載している。循環システムは、地層に熱を移動するために、地層内の配管を通る加熱された液体熱伝導流体を使用することが可能である。
【０００５】
Ｖｉｎｅｇａｒらの米国特許出願公開第２００８−０１３５２５４号明細書は、１つまたは複数の処理領域を加熱するために循環システムを利用するインサイチュ熱処理プロセスのためのシステムおよび方法を記載している。循環システムは、地層に熱を移動するために地層内の配管を通る加熱された液体熱伝導流体を使用する。実施形態によっては、配管は、少なくとも２つの坑井穴内に位置する。
【０００６】
Ｎｇｕｙｅｎらの米国特許出願公開第２００９−００９５４７６号明細書は、地表下地層用の加熱システムが、地表下地層内の開口部内に位置するコンジットを含むことを記載している。絶縁導電体は、コンジット内に位置する。材料は、絶縁導電体の一部とコンジットの一部との間のコンジット内にある。材料は、塩であってもよい。材料は、加熱システムの使用温度で流体である。熱は、絶縁導電体から流体に、流体からコンジットに、およびコンジットから地表下地層に移動する。
【先行技術文献】
【特許文献】
【０００７】
【特許文献１】米国特許第７，５７５，０５２号明細書
【特許文献２】米国特許出願公開第２００８／０１３５２５４号明細書
【特許文献３】米国特許出願公開第２００９／００９５４７６号明細書
【発明の概要】
【発明が解決しようとする課題】
【０００８】
炭化水素含有地層から、炭化水素、水素、および／または他の生成物を経済的に生成する方法およびシステムを開発するためにかなりの努力があった。しかしながら、現在、炭化水素、水素、および／または他の生成物が経済的に生成されることができない、さらに多くの炭化水素含有地層がある。地層を処理するためのエネルギーのコストを低減する、処理プロセスからの排出を低減する、加熱システム設置を容易化する、および／または地表ベース装置を利用する炭化水素回収プロセスと比較してオーバーバーデンに対する熱損失を低減する、改善された方法およびシステムの必要もある。
【課題を解決するための手段】
【０００９】
本明細書に記載された実施形態は、概して、地表下地層を処理するためのシステムおよび方法に関する。
【００１０】
本発明は、実施形態によっては、地表下地層を加熱する方法を提供し、方法は、地層に複数の加熱器から熱を加えることと、滑りシールを具備する坑口から１つまたは複数の加熱器の一部を移動させて、加熱器の熱膨張を調整することを可能にすることを含む。
【００１１】
本発明は、実施形態によっては、地表下地層を加熱する方法を提供し、方法は、地層に複数の加熱器から熱を加えることと、１つまたは複数の滑り継ぎ手を使用して、坑口から１つまたは複数の加熱器の一部を移動させることを可能にすることを含む。
【００１２】
本発明は、実施形態によっては、地層内で加熱器の熱膨張を調整する方法を提供し、方法は、地層内で加熱器を加熱することと、地層から加熱器の一部を持ち上げて、加熱器の熱膨張を調整することを含む。
【００１３】
本発明は、実施形態によっては、地表下地層を加熱するためのシステムを提供し、システムは、地層内に位置し、地層に熱を供給するように構成された複数の加熱器と、加熱器の一部に結合され、地層から加熱器の一部を持ち上げるように構成されて加熱器の熱膨張を調整する少なくとも１つのリフターとを含む。
【００１４】
さらなる実施形態では、ある実施形態からの特徴が、他の実施形態からの特徴と組み合わせられてもよい。例えば、１つの実施形態からの特徴が、他の実施形態のうちのいずれかからの特徴と組み合わせられてもよい。さらなる実施形態では、地表下地層を処理することは、本明細書に記載された方法およびシステムのうちのいずれかを使用して行われる。さらなる実施形態では、さらなる特徴が、本明細書に記載されたある実施形態に加えられてもよい。
【００１５】
本発明の利点は、次の詳細な説明を検討し、添付図面を参照して当業者に明らかとなる。
【図面の簡単な説明】
【００１６】
【図１】炭化水素含有地層を処理するためのインサイチュ熱処理システムの一部の実施形態の概略図を示す。
【図２】地層の一部を加熱するための熱伝導流体循環システムの実施形態の概略図を表す。
【図３】地層の一部を加熱するための熱伝導流体循環システムとともに使用するための、Ｌ形状の加熱器の実施形態の概略図を表す。
【図４】地層の一部を加熱するための熱伝導流体循環システムとともに使用するための、垂直加熱器の実施形態の概略図を表し、加熱器の熱膨張は地表下で調整される。
【図５】地層の一部を加熱するための熱伝導流体循環システムとともに使用するための、垂直加熱器の他の実施形態の概略図を表し、加熱器の熱膨張は地表上および地表下で調整される。
【図６】断熱セメントを利用するオーバーバーデン断熱部の実施形態の断面図を表す。
【図７】断熱スリーブを利用するオーバーバーデン断熱部の実施形態の断面図を表す。
【図８】断熱スリーブおよび真空を利用するオーバーバーデン断熱部の実施形態の断面図を表す。
【図９】熱膨張を調整するため使用されるベローズの実施形態の図を表す。
【図１０Ａ】熱膨張を調整するための膨張ループを備えた配管の実施形態の図を表す。
【図１０Ｂ】熱膨張を調整するためのコイル配管またはスプール配管を備えた配管の実施形態の説明を表す。
【図１０Ｃ】断熱体積で囲まれた熱膨張を調整するためのコイル配管またはスプール配管を備えた配管の実施形態の説明を表す。
【図１１】オーバーバーデン内の大きな直径のケーシング内の断熱配管の実施形態の説明を表す。
【図１２】熱膨張を調整するためのオーバーバーデン内の大きな直径のケーシング内の断熱配管の実施形態の説明を表す。
【図１３】加熱器の一部を坑口に対して移動させることを可能にする滑りシール、スタッフィングボックスまたは他の圧力制御装置を備えた坑口の実施形態の説明を表す。
【図１４】坑口上で固定コンジットと相互作用する滑り継ぎ手を備えた坑口の実施形態の説明を表す。
【図１５】坑口に結合された固定コンジットと相互作用する滑り継ぎ手を備えた坑口の実施形態の説明を表す。
【図１６】シールを備えた熱伝導流体循環システムの実施形態の概略図を表す。
【図１７】シールを備えた熱伝導流体循環システムの他の実施形態の概略図を表す。
【図１８】係止機構およびシールを備えた熱伝導流体循環システムの実施形態の概略図を表す。
【図１９】熱い熱伝導流体循環システム加熱器が坑井穴内に位置したＵ字形状の坑井穴の説明を表す。
【図２０】処理領域に隣接する熱伝導循環加熱システム用のコンジットインコンジット加熱器の実施形態の端面図の説明を表す。
【図２１】加熱器内の熱伝導流体の流れを再スタートするための加熱器の様々な部分を加熱するための実施形態の説明を表す。
【図２２】地層内に位置する流動循環加熱システムのコンジットインコンジット加熱器の実施形態の概略を表す。
【図２３】オーバーバーデンに隣接するコンジットインコンジット加熱器の実施形態の断面図を表す。
【図２４】液体熱伝導流体用の循環システムの実施形態の概略図を表す。
【発明を実施するための形態】
【００１７】
本発明は、様々な変形および別の形態の影響を受けやすい一方、その具体的な実施形態は、図面において一例として示され、本明細書に詳細に説明される。図面は縮尺どおりではない。しかしながら、図面および詳細な説明は、本発明を開示された特定の形態に限定することを意図しないが、それどころか、その意図は、添付の請求項によって定義されるように、本発明の精神および範囲以内にある変形、均等および代替物をすべてカバーすることであることを理解するべきである。
【００１８】
次の説明は、概して、地層内の炭化水素を処理するためのシステムおよび方法に関する。そのような地層は、炭化水素生成物、水素および他の生成物を産出するように処理されることが可能である。
【００１９】
「ＡＰＩ重力」は、１５．５℃（６０°Ｆ）でのＡＰＩ重力を指す。ＡＰＩ重力は、ＡＳＴＭ法Ｄ６８２２またはＡＳＴＭ法Ｄ１２９８によって決まる。
【００２０】
「流体圧力」は、地層内の流体によって発生される圧力である。「地盤圧力」（「地盤応力」と称されることもある）は、覆っている岩盤の単位面積当たりの重量に等しい地層内の圧力である。「静水圧」は、水柱によって及ぼされる地層内の圧力である。
【００２１】
「地層」は、１つまたは複数の炭化水素含有層、１つまたは複数の非炭化水素層、オーバーバーデン、および／またはアンダーバーデン（ｕｎｄｅｒｂａｒｄｅｎ）を含む。「炭化水素層」は、炭化水素を含有する地層内の層を指す。炭化水素層は、非炭化水素材料および炭化水素材料を含んでいてもよい。「オーバーバーデン」、および／または「アンダーバーデン」は、１つまたは複数の異なる種類の不浸透性材料を含む。例えば、オーバーバーデン、および／またはアンダーバーデンは、岩、頁岩、泥岩または湿性／堅固な炭酸塩を含んでいてもよい。インサイチュ熱処理プロセスの実施形態によっては、オーバーバーデン、および／またはアンダーバーデンは、比較的不浸透性であり、オーバーバーデン、および／またはアンダーバーデンの炭化水素含有層の著しい特性変化をもたらすインサイチュ熱処理プロセスの間に温度にさらされない、１つの炭化水素含有層または複数の炭化水素含有層を含んでいてもよい。例えば、アンダーバーデンは、頁岩または泥岩を含んでいてもよいが、アンダーバーデンは、インサイチュ熱処理プロセスの間に熱分解温度に加熱されなくてもよい。ある場合には、オーバーバーデン、および／またはアンダーバーデンが多少浸透性であってもよい。
【００２２】
「地層流体」は、地層内に存在する流体を指し、熱分解流体、合成ガス、易動化炭化水素および水（蒸気）を含んでいてもよい。地層流体は、非炭化水素流体のみならず炭化水素流体も含んでいてもよい。用語「易動化流体」は、地層の熱処理の結果、流れることができる炭化水素含有地層内の流体を指す。「生成された流体」は、地層から取り除かれる流体を指す。
【００２３】
「熱源」は、伝導熱伝導、および／または放射熱伝導によって、地層の少なくとも一部に熱を実質的に供給するための任意のシステムである。例えば、熱源は、導電材料であってもよく、および／または絶縁導電体、細長い部材、および／またはコンジット内に配置される導体などの電気加熱器を含む。熱源は、また、地層外、または地層内で燃料を燃焼することによって熱を発生するシステムを含んでいてもよい。システムは、地表バーナー、ダウンホールガスバーナー、無炎分配型燃焼器、および自然分配型燃焼器であってもよい。実施形態によっては、１つまたは複数の熱源にもたらされる、または１つまたは複数の熱源で発生される熱は、他のエネルギー源によって供給されてもよい。他のエネルギー源は、地層を直接加熱してもよく、または、エネルギーは、地層を直接または間接的に加熱する移動媒体に適用されてもよい。当然のことながら、地層に熱を加えている１つまたは複数の熱源は、異なるエネルギー源を使用してもよい。したがって、例えば、所定の地層に関して、熱源によっては、導電材料、電気抵抗加熱器から熱を供給してもよく、熱源によっては、燃焼から熱をもたらしてもよく、熱源によっては、１つまたは複数の他のエネルギー源（例えば、化学反応、太陽エネルギー、風力エネルギー、バイオマス、または他の再生可能エネルギー源）から熱をもたらしてもよい。化学反応は、発熱反応（例えば、酸化反応）を含んでいてもよい。熱源は、また、導電材料、および／または加熱器の坑井などの、加熱位置に隣接、および／または囲むゾーンに熱をもたらす加熱器を含んでいてもよい。
【００２４】
「加熱器」は、坑井内または坑井穴領域近くで熱を発生するための任意のシステムまたは熱源である。加熱器は、電気加熱器、バーナー、地層内の材料もしくは地層から生成される材料と反応する燃焼器、および／またはそれらの組み合わせであってもよいが、それらに限定されない。
【００２５】
「重炭化水素」は、粘性炭化水素流体である。重炭化水素は、重油、タール、および／またはアスファルトなどの高粘性炭化水素流体を含んでいてもよい。重炭化水素は、炭素および水素のほかに、より低濃度の硫黄、酸素および窒素を含んでいてもよい。さらなる元素も、重炭化水素中に微量存在していてもよい。重炭化水素は、ＡＰＩ重力によって分類されてもよい。重炭化水素は、一般的に、約２０°未満のＡＰＩ重力を有する。重油は、例えば、一般的に、約１０から２０°のＡＰＩ重力を有し、一方、タールは、一般的に、約１０°未満のＡＰＩ重力を有する。重炭化水素の粘性は、一般的に、１５℃で約１００センチポアズより大きい。重炭化水素は、芳香族化合物または他の複合環状炭化水素を含んでいてもよい。
【００２６】
重炭化水素は、比較的浸透性の地層で見られてもよい。比較的浸透性の地層は、例えば、砂または炭酸塩に取り込まれた重炭化水素を含んでいてもよい。「比較的浸透性」は、地層またはその一部に対して１０ミリダルシー以上（例えば、１０または１００ミリダルシー）の平均浸透性として定義される。「比較的低い浸透性」は、地層またはその一部に対して約１０ミリダルシー未満の平均浸透性として定義される。１ダルシーは、約０．９９平方マイクロメートルに等しい。不浸透性層は、一般的に、約０．１未満のミリダルシーの浸透性を有する。
【００２７】
重炭化水素を含むある種の地層は、また、天然鉱ろうまたは天然アスファルタイトを含むが、それらに限定されない。「天然鉱ろう」は、幅が数メーター、長さが数キロメーター、深さが数百メーターであってもよい実質的に管状の鉱脈に典型的には生じる。「天然アスファルタイト」は、芳香族化合物組成物の固体炭化水素を含んでおり、典型的には大鉱脈に生じる。天然鉱ろうおよび天然アスファルタイトなどの地層からの炭化水素のインサイチュ回収は、液体炭化水素を形成するための溶融、および／または地層からの炭化水素のソリューションマイニングを含んでいてもよい。
【００２８】
「炭化水素」は、炭素原子および水素原子によって主として形成された分子として一般的に定義される。炭化水素は、また、ハロゲン、金属元素、窒素、酸素、および／または硫黄などの他の元素を含んでいてもよいが、それらに限定されない。炭化水素は、ケロゲン、ビチューメン、ピロビチューメン、油、天然鉱ろうおよびアスファルタイトであってもよいが、それらに限定されない。炭化水素は、地球の鉱物基質内または、それに隣接して位置することができる。基質は、堆積岩、砂、シリシライト、炭酸塩、珪藻岩、および他の多孔質媒体含んでいてもよいが、それらに限定されない。「炭化水素流体」は、炭化水素を含む流体である。炭化水素流体は、水素、窒素、一酸化炭素、二酸化炭素、硫化水素、水およびアンモニアなどの非炭化水素流体を含んでも、取り込んでいてもよく、非炭化水素流体に取り込まれていてもよい。
【００２９】
「インサイチュ転化プロセス」は、熱源から炭化水素含有地層を加熱して、熱分解流体が地層内で生成されるように熱分解温度より高い温度で地層の少なくとも一部の温度を上げるプロセスを指す。
【００３０】
「インサイチュ熱処理プロセス」は、易動化流体、粘性低下流体、および／または熱分解流体が、地層内に生成されるように、熱源で炭化水素含有地層を加熱して、易動化流体、粘性低下、および／または炭化水素含有材料の熱分解をもたらす温度より高い温度に地層の少なくとも一部の温度を上げるプロセスを指す。
【００３１】
「絶縁導電体」は、電気を通すことができ、電気絶縁材料によって全体または一部において被覆される任意の細長い材料を指す。
【００３２】
「熱分解」は、熱の適用による化学結合の破壊である。例えば、熱分解は、熱だけによって化合物を１つまたは複数の他の物質に変えることを含んでいてもよい。熱は、地層の部分に移動されて、熱分解を引き起こすことが可能である。
【００３３】
「熱分解流体」または「熱分解生成物」は、炭化水素の熱分解の間に実質的に生成される流体を指す。熱分解反応によって生成される流体は、地層内で他の流体と混ざってもよい。混合物は、熱分解流体または熱分解生成物と考えられる。本明細書で説明されるように、「熱分解ゾーン」は、熱分解流体を形成するために反応されるまたは反応する地層（例えば、タール砂地層などの比較的浸透性地層）の体積を指す。
【００３４】
「熱の重ね合わせ」は、熱源間の少なくとも１つの位置での地層の温度が、熱源によって影響されるように、地層の選択された部分に２つ以上の熱源から熱をもたらすことを指す。
【００３５】
「タールサンド地層」は、炭化水素が、鉱物粒子枠組みまたは他の宿主岩盤（例えば、砂または炭酸塩）に取り込まれた重炭化水素、および／またはタールの形態で主に存在する地層である。タールサンド地層としては、アサバスカ地層、グロスモント地層、およびピースリバー地層（３つすべては、Ａｌｂｅｒｔａ、Ｃａｎａｄａ）、ファハ地層（Ｏｒｉｎｏｃｏ  ｂｅｌｔ、Ｖｅｎｅｚｕｅｌａ）などの地層が挙げられる。
【００３６】
「温度限定加熱器」は、一般的に、温度調節器、電源レギュレータ、整流器または他の装置などの外部制御を使用することなく規定温度を超えて熱出力を調整する（例えば、熱出力を低減する）加熱器を指す。温度限定加熱器は、ＡＣ（交流）または調整された（例えば、「チョップ型」）ＤＣ（直流）駆動電気抵抗加熱器であってもよい。
【００３７】
層の「厚さ」は、層の断面の厚さを指し、断面は、層の面に垂直である。
【００３８】
「Ｕ字形状の坑井穴」は、地層内の第１の開口部から、地層の少なくとも一部を介し、地層内の第２の開口部を介して延在する坑井穴を指す。この文脈では、坑井穴は、坑井穴が「ｕ」形状であるとみなされるために、「ｕ」の「脚部」が互いに平行である必要はなく、または「ｕ」の「底部」に対して垂直である必要はないという条件で、単に概略的に「ｖ」または「ｕ」形状であってもよい。
【００３９】
「品質向上」は、炭化水素の質を高めることを指す。例えば、重炭化水素の品質向上は、重炭化水素のＡＰＩ重力を高め得る。
【００４０】
「粘性低下」は、熱処理の間に流体内の分子のもつれを解くこと、および／または熱処理の間の大きな分子のより小さな分子への破壊を指し、流体の粘性を低減する。
【００４１】
「粘性」は、別段の定めがない限り、４０℃での動粘度を指す。粘性は、ＡＳＴＭ法Ｄ４４５によって決まる。
【００４２】
用語「坑井穴」は、掘削または地層へのコンジットの挿入によって作製された地層における穴を指す。坑井穴は、実質的に円形断面または他の断面形状を有していてもよい。本明細書で使用されるように、用語「坑井」および「開口部」は、地層内の開口部を参照する場合、用語「坑井穴」で交換可能に使用されてもよい。
【００４３】
地層は、様々な方法で処理されて様々な生成物を生成することが可能である。インサイチュ熱処理プロセスの間に地層を処理するために、異なる段階またはプロセスが使用されてもよい。実施形態によっては、地層の１つまたは複数の部分は、ソリューションマイニングされて、その部分から可溶性鉱物を取り除く。ソリューションマイニング鉱物は、インサイチュ熱処理プロセスの前、間、および／または後に行われてもよい。実施形態によっては、ソリューションマイニングされる１つまたは複数の部分の平均温度は、約１２０℃より低く維持されてもよい。
【００４４】
実施形態によっては、地層の１つまたは複数の部分が加熱されて、部分から水を取り除く、および／または部分からメタンおよび他の揮発性炭化水素を取り除く。実施形態によっては、平均温度は、水および揮発性炭化水素の除去の間に、周囲の温度から約２２０℃より低い温度に上げられてもよい。
【００４５】
実施形態によっては、地層の１つまたは複数の部分が加熱されて、地層内で炭化水素の移動、および／または粘性低下を可能にする温度に加熱される。実施形態によっては、地層の１つまたは複数の部分の平均温度は、その部分における炭化水素の易動化温度に上げられる（例えば、１００℃から２５０℃、１２０℃から２４０℃、または１５０℃から２３０℃の範囲の温度に）。
【００４６】
実施形態によっては、１つまたは複数の部分が、地層内での熱分解反応を可能にする温度に加熱される。実施形態によっては、地層の１つまたは複数の部分の平均温度は、部分における炭化水素の熱分解温度に上げられてもよい（例えば、２３０℃から９００℃、２４０℃から４００℃、または２５０℃から３５０℃の範囲の温度）。
【００４７】
複数の熱源で炭化水素含有地層を加熱することは、地層内の炭化水素の温度を所望の加熱速度で所望の温度に上げる熱源のまわりの温度勾配を確立することが可能である。所望の生成物のための易動化温度範囲、および／または熱分解温度範囲の間の温度増加率は、炭化水素含有地層から生成される地層流体の質および量に影響することが可能である。易動化温度範囲、および／または熱分解温度範囲の間に地層の温度をゆっくり上げることは、地層から高品質、高ＡＰＩ重力の炭化水素の生成を可能にしてもよい。易動化温度範囲、および／または熱分解温度範囲の間に地層の温度をゆっくり上げることは、炭化水素生成物として地層内に存在する大量の炭化水素の除去を可能にしてもよい。
【００４８】
いくらかのインサイチュ熱処理の実施形態では、地層の一部は、温度範囲の間に温度をゆっくり加熱する代わりに所望の温度に加熱される。実施形態によっては、所望の温度は、３００℃、３２５℃または３５０℃である。所望の温度として他の温度が選択されてもよい。
【００４９】
熱源からの熱の重ね合わせは、所望の温度が、地層において比較的速く効率的に確立されることを可能にする。熱源から地層へのエネルギー入力が調節されて、所望の温度で地層内で温度を実質的に維持することが可能である。
【００５０】
易動化、および／または熱分解生成物が、生成坑井を介して地層から生成されることが可能である。実施形態によっては、１つまたは複数の部分の平均温度が易動化温度に上げられ、炭化水素が生成坑井から生成される。１つまたは複数の部分の平均温度は、易動化による生成が選択された値より下に低下した後、熱分解温度に上げられてもよい。実施形態によっては、１つまたは複数の部分の平均温度は、熱分解温度に達する前にほとんど生成せずに熱分解温度に上げられてもよい。熱分解生成物を含む地層流体は、生成坑井を介して生成されてもよい。
【００５１】
実施形態によっては、１つまたは複数の部分の平均温度は、易動化、および／または熱分解後に、合成ガスの生成を可能にするのに十分な温度に上げられてもよい。実施形態によっては、炭化水素は、合成ガスの生成を可能にするのに十分な温度に達する前にほとんど生成せずに合成ガスの生成を可能とするのに十分な温度に上げられてもよい。例えば、合成ガスは、約４００℃から約１２００℃、約５００℃から約１１００℃、または約５５０℃から約１０００℃の温度範囲で生成されてもよい。合成ガス発生流体（例えば、蒸気、および／または水）が、合成ガスを発生するために部分へ導入されてもよい。合成ガスは、生成坑井から生成されてもよい。
【００５２】
ソリューションマイニング、揮発性炭化水素および水の除去、炭化水素の易動化、炭化水素の熱分解、合成ガスの発生、および／または他のプロセスが、インサイチュ熱処理プロセスの間に行われてもよい。実施形態によっては、いくつかのプロセスが、インサイチュ熱処理プロセス後に行われてもよい。そのようなプロセスとしては、処理された部分から熱を回収すること、予め処理された部分に流体（例えば、水、および／または炭化水素）を保存すること、および／または予め処理された部分に二酸化炭素を隔離することが挙げられるが、それらに限定されない。
【００５３】
図１は、炭化水素含有地層を処理するためのインサイチュ熱処理システムの一部の実施形態の概略図を表す。インサイチュ熱処理システムは、障壁坑井１００を含んでいてもよい。障壁坑井は、処理領域のまわりに障壁を形成するために使用される。障壁は、処理領域への、および／または処理領域からの流体の流れを抑制する。障壁坑井としては、脱水坑井、真空坑井、捕獲坑井、注入坑井、グラウト坑井、凍結坑井、またはそれらの組み合わせが挙げられるが、それらに限定されない。実施形態によっては、障壁坑井１００は、脱水坑井である。脱水坑井は、液体の水を取り除く、および／または液体の水が加熱される対象の地層、もしくは加熱されている地層の一部に入ることを抑制し得る。図１で表された実施形態では、障壁坑井１００は、熱源１０２の一方の側に沿ってのみ延在して示されているが、障壁坑井は、典型的には、地層の処理領域を加熱するために使用された、または使用されるすべての熱源１０２を取り囲む。
【００５４】
熱源１０２は、地層の少なくとも一部内に置かれる。熱源１０２は、導電材料を含んでいてもよい。実施形態によっては、絶縁導電体、導体インコンジット加熱器、地表バーナー、無炎分配型燃焼器、および／または自然分配型燃焼器などの加熱器である。熱源１０２は、また、他の種類の加熱器を含んでいてもよい。熱源１０２は、地層の少なくとも一部に熱をもたらして、地層内で炭化水素を加熱する。供給ライン１０４を介して熱源１０２にエネルギーが供給されてもよい。供給ライン１０４は、地層を加熱するために使用される熱源（複数可）の種類に応じて構造上異なっていてもよい。熱源用の供給ライン１０４は、導電材料または電気加熱器用に送電してもよく、燃焼器用の燃料を移動してもよく、または地層内で循環される熱交換流体を移動してもよい。実施形態によっては、インサイチュ熱処理プロセス用電気が、原子力発電所（複数可）によってもたらされてもよい。原子力の使用は、インサイチュ熱処理プロセスからの二酸化炭素排出の低減または除去を可能としてもよい。
【００５５】
地層を加熱することは、地層の浸透性、および／または気孔率の増大を引き起こしてもよい。浸透性、および／または気孔率の増大は、水の蒸発および除去、炭化水素の除去、および／または破砕の作成により、地層の質量の低減に起因することが可能である。流体は、地層の浸透性、および／または気孔率が増大されるために、地層の加熱された部分においてより容易に流れることが可能である。地層の加熱された部分内の流体は、浸透性、および／または気孔率が増加されるために、地層を介して相当な距離を移動することが可能である。相当な距離は、地層の浸透性、流体の特性、地層の温度、および流体の移動を可能とする圧力勾配などの様々な要因に応じて１０００ｍを超えることが可能である。流体が地層内で相当な距離を移動する能力は、生成坑井１０６が地層内で比較的遠く離れて間隔を置いて配置されることを可能にする。
【００５６】
生成坑井１０６は、地層から地層流体を取り除くために使用される。実施形態によっては、生成坑井１０６は熱源を含む。生成坑井での熱源は、生成坑井で、または生成坑井の近くで地層の１つまたは複数の部分を加熱することが可能である。インサイチュ熱処理プロセスの実施形態によっては、生成坑井のメーター当たりの生成坑井からの地層に供給される熱量は、熱源のメーター当たりの地層を加熱する熱源から地層に加えられた熱量未満である。生成坑井から地層に加えられた熱は、生成坑井に隣接する液相流体を蒸発、除去することによって、および／または、マクロ破砕、および／またはミクロ破砕の地層によって生成坑井に隣接する地層の浸透性を増大させることによって、生成坑井に隣接する地層の浸透性を増大させることが可能である。
【００５７】
実施形態によっては、生成坑井１０６内の熱源は、地層から地層流体の気相除去を可能にする。生成坑井で、または生成坑井を介して加熱をもたらすことは、以下を可能にする：（１）そのような生成された流体がオーバーバーデンに隣接した生成坑井内で移動している場合、生成された流体の凝縮、および／または還流を抑制する、（２）地層への熱入力を増大する、（３）熱源のない生成坑井に比較して生成坑井からの生成速度を増大する、（４）生成坑井での高炭素数化合物（Ｃ６以上の炭化水素）の凝縮を抑制する、および／または（５）生成坑井で、または生成坑井に隣接した地層の浸透性を増大する。
【００５８】
地層内の地表下の圧力は、地層内で発生された流体圧力に相当してもよい。地層の加熱された部分の温度が上昇するにつれて、加熱された部分の圧力は、インサイチュ流体の熱膨張、流体の発生の増大、および水の蒸発の結果、増大する可能性がある。地層からの流体除去の速度の制御は、地層内の圧力の制御を可能にする。地層内の圧力は、生成坑井に近接してまたは生成坑井で、熱源に近接してまたは熱源で、または観察坑井で、などの複数の異なる位置で決定されることが可能である。
【００５９】
炭化水素含有地層によっては、地層内の少なくともいくつかの炭化水素が易動化され、および／または熱分解されるまで、地層からの炭化水素の生成は抑制される。地層流体が選択された品質を有する場合、地層流体が地層から生成されることが可能である。実施形態によっては、選択された品質としては、少なくとも約２０°、３０°または４０°のＡＰＩ重力が挙げられる。少なくともいくつかの炭化水素が易動化され、および／または熱分解されるまで生成を抑制することは、重炭化水素の軽質炭化水素への変換を増大させることが可能である。初期の生成の抑制は、地層から重炭化水素の生成を最小限にすることが可能である。相当量の重炭化水素の生成は、高価な装置を必要とし、および／または生成装置の寿命を短くする可能性がある。
【００６０】
実施形態によっては、生成坑井１０６に対する開放通路または任意の他の圧力シンクが地層内に存在しなくてもよいが、地層内で発生された易動化流体、熱分解流体または他の流体の膨張によって発生された圧力は、増大することが可能であってもよい。流体圧力は、地盤圧力に対して増大することが可能であってもよい。流体が地盤圧力に達すると、炭化水素含有地層の破砕が生じることがある。例えば、破砕は、地層の加熱された部分において、熱源１０２から生成坑井１０６まで生じることがある。加熱された部分における破砕の発生は、一部内の圧力の一部を逃がすことが可能である。地層内の圧力は、選択された圧力より低く維持されて、不要な生成、オーバーバーデンもしくはアンダーバーデンの破砕、および／または地層内の炭化水素のコーキングを抑制しなければならない。
【００６１】
易動化温度、および／または熱分解温度が到達され、地層からの生成が可能とされた後、地層内の圧力が変えられて、生成された地層流体の組成を変更、および／または制御して、地層流体内の非凝縮性流体に対して凝縮性流体の割合を制御する、および／または生成される地層流体のＡＰＩ重力を制御することが可能である。例えば、圧力を低下させることは、より大きな凝縮性流体成分の生成をもたらすことが可能である。凝縮性流体成分は、より大きな割合のオレフィンを含むことが可能である。
【００６２】
インサイチュ熱処理プロセスの実施形態によっては、地層内の圧力は、２０°より大きいＡＰＩ重力を備えた地層流体の生成を促進するのに十分高く維持されることが可能である。地層内の増加された圧力を維持することは、インサイチュ熱処理の間に地層の沈下を抑制することが可能である。増加された圧力を維持することは、地層流体を地表で圧縮する必要を低減または除去して、回収コンジット内の流体を処理施設に移動することが可能である。
【００６３】
地層の加熱された部分内の増加された圧力を維持することは、驚くことに、品質が向上され、比較的低分子量の炭化水素を大量に生成することを可能にしてもよい。生成された地層流体が選択された炭素数を越える最小量の化合物を有するように、圧力は維持されてもよい。選択された炭素数は、最大で２５、最大で２０、最大で１２、または最大で８であってもよい。いくつかの高炭素数化合物が地層内で蒸気で取り込まれていてもよく、蒸気で地層から取り除かれてもよい。地層内で増加した圧力を維持することは、高炭素数の化合物、および／または蒸気で多重環炭化水素化合物の取り込みを抑制することが可能である。高炭素数化合物、および／または多重環炭化水素化合物は、かなりの期間、地層内で液体相で残存していてもよい。かなりの期間は、化合物が熱分解するのに十分な時間をもたらして、低炭素数化合物を形成することが可能である。
【００６４】
生成坑井１０６から生成された地層流体は、処理施設１１０に収集管１０８を介して移動されることが可能である。地層流体は、また、熱源１０２から生成されることが可能である。例えば、流体は、熱源１０２から生成されて、熱源に隣接する地層内の圧力を制御することが可能である。熱源１０２から生成された流体は、収集管１０８にチュービングもしくは配管を介して移動されることが可能であり、または、生成された流体は、処理施設１１０に直接、チュービングもしくは配管を介して移動されることが可能である。処理施設１１０は、分離ユニット、反応ユニット、品質向上ユニット、燃料電池、タービン、貯蔵容器、および／または生成された地層流体を処理するための他のシステムおよびユニットを含んでいてもよい。処理施設は、地層から生成された炭化水素の少なくとも一部から輸送燃料を生じることが可能である。実施形態によっては、輸送燃料は、ＪＰ−８などのジェット燃料であってもよい。
【００６５】
ある実施形態では、熱源、熱源の電源、生成装置、供給ライン、および／または他の熱源または生産支援装置がトンネル内に位置し、より小さな熱源、および／またはより小さな装置が、地層を処理するために使用されることを可能にする。トンネル内にそのような装置、および／または構造を位置することは、地層を処理するためのエネルギーのコストを低減し、処理プロセスからの排出を低減し、加熱システム設置を容易化する、および／または地表ベース装置を利用する炭化水素回収プロセスと比較して、オーバーバーデンに対する熱損失を低減することが可能である。トンネルは、例えば、実質的に水平のトンネル、および／または傾斜したトンネルであってもよい。
【００６６】
インサイチュ熱処理プロセスの実施形態によっては、地層を加熱するために循環システムが使用される。循環システムを炭化水素含有地層のインサイチュ熱処理に使用することは、地層を処理するためのエネルギーのコストを低減する、処理プロセスからの排出を低減する、および／または加熱システムの設置を容易化する。ある実施形態では、循環システムは、閉ループ循環システムである。図２は、循環システムを使用して、地層を加熱するためのシステムの概略図を表す。システムは、地中比較的深く、広がりが比較的大きい地層内にある炭化水素を加熱するために使用されることが可能である。実施形態によっては、炭化水素は、地表より１００ｍ、２００ｍ、３００ｍ以上低くてもよい。循環システムは、また、地中深くない炭化水素を加熱するために使用されることが可能である。炭化水素は、長手方向に１０００ｍ、３０００ｍ、５０００ｍ以上まで延在する地層内にある可能性がある。循環システムの加熱器間の熱の重ね合わせが、地層の温度が少なくとも地層内の水性地層流体の沸点より高く上げられることを可能にするように、循環システムの加熱器は、隣接する加熱器に対して位置していてもよい。
【００６７】
実施形態によっては、加熱器２００は、第１の坑井穴を掘削し、次いで第１の坑井穴に接続する第２の坑井穴を掘削することによって地層内に形成されていてもよい。Ｕ字形状の坑井穴内に配管が位置して、Ｕ字形状の加熱器２００を形成してもよい。加熱器２００は、配管によって熱伝導流体循環システム２０２に接続される。実施形態によっては、加熱器は、三角パターン内に位置する。実施形態によっては、他の規則的パターンまたは不規則的パターンが使用される。生成坑井、および／または注入坑井が地層内に位置していてもよい。生成坑井、および／または注入坑井は、加熱器２００の加熱部分に類似する長く実質的水平部分を有していてもよく、または、生成坑井、および／もしくは注入坑井は、別の形で配向されていてもよい（例えば、坑井は、垂直配向の坑井、または１つもしくは複数の傾斜した部分を含む坑井であってもよい）。
【００６８】
図２に表されるように、熱伝導流体循環システム２０２は、熱供給２０４、第１の熱交換器２０６、第２の熱交換器２０８、および流体移動機２１０を含んでいてもよい。熱供給２０４は、熱伝導流体を高温に加熱する。熱供給２０４は、炉、太陽光集光装置、化学反応器、原子炉、燃料電池、および／または熱伝導流体に熱を供給することができる他の高温源であってもよい。熱伝導流体がガスである場合、流体移動機２１０は圧縮機であってもよい。熱伝導流体が液体である場合、流体移動機２１０はポンプであってもよい。
【００６９】
熱伝導流体は、地層２１２から抜け出た後、第１の熱交換器２０６および第２の熱交換器２０８を介して流体移動機２１０に移動する。第１の熱交換器２０６は、地層２１２から抜け出た熱伝導流体と、流体移動機２１０から抜け出た熱伝導流体との間で熱を移動して、熱供給２０４に入る熱伝導流体の温度を上げ、地層２１２から抜け出た流体の温度を低下する。第２の熱交換器２０８は、さらに、熱伝導流体の温度を低下する。実施形態によっては、第２の熱交換器２０８は、熱伝導流体用の貯蔵タンクを含む、または貯蔵タンクである。
【００７０】
熱伝導流体は、第２の熱交換器２０８から流体移動機２１０に移動する。流体移動機２１０は、流体移動機が高温で作動する必要がないように熱供給２０４の前に位置していてもよい。
【００７１】
一実施形態では、熱伝導流体は二酸化炭素である。熱供給２０４は、約７００℃から約９２０℃の範囲、約７７０℃から約８７０℃の範囲、または約８００℃から約８５０℃の範囲の温度に熱伝導流体を加熱する炉である。一実施形態では、熱供給２０４は、約８２０℃の温度に熱伝導流体を加熱する。熱伝導流体は、熱供給２０４から加熱器２００に流れる。熱は、加熱器２００から加熱器に隣接する地層２１２に移動する。地層２１２から抜け出た熱伝導流体の温度は、約３５０℃から約５８０℃の範囲、約４００℃から約５３０℃の範囲、または約４５０℃から約５００℃の範囲であってもよい。一実施形態では、地層２１２から抜け出た熱伝導流体の温度は約４８０℃である。熱伝導流体循環システム２０２を形成するために使用される配管の冶金学的技術は変えられて、配管のコストを著しく低減することが可能である。熱供給２０４から温度が十分に低い地点まで高温鋼が使用されてもよく、その地点から第１の熱交換器２０６まではより費用のかからない鋼が使用されることが可能である。いくらかの異なる鋼種が使用されて、熱伝導流体循環システム２０２の配管を形成することが可能である。
【００７２】
実施形態によっては、循環流体システムにおいて熱伝導流体として天日塩（例えば、ＮａＮＯ３６０重量％およびＫＮＯ３４０重量％を含む塩）が使用される。粗塩は、約２３０℃の融点および約５６５℃の上限使用温度限界を有していてもよい。実施形態によっては、ＬｉＮＯ３（例えば、ＬｉＮＯ３約１０重量％から約３０重量％）が粗塩に加えられて、粗塩に対してより広い使用温度範囲および最大使用温度がわずかに低下しただけの低溶融温度の第三塩混合物を生成することが可能である。第三塩混合物の低溶融温度は、予備加熱要件を低下することが可能であり、循環システムの配管を予備加熱するための熱伝導流体として加圧水および／または加圧塩水の使用を可能としてもよい。５５０℃での第三塩組成物による加熱器の金属の腐食速度は、５６５℃での粗塩による加熱器の金属の腐食速度に相当する。表１は、粗塩および第三塩混合物に関する融点および上限を示す。第三塩混合物の水溶液は、凝固することなく水を取り除く場合に溶融塩に移行してもよく、それによって、溶融塩が水溶液としてもたらされ、および／または保存されることを可能にする。
【００７３】
【表１】
0005611962.tif 000002
【００７４】
熱供給２０４は、約５６０℃の温度に熱伝導流体を加熱する炉であってもよい。熱伝導流体の戻り温度は、約３５０℃から約４５０℃であってもよい。熱伝導流体循環システム２０２からの配管は、断熱されていてもよく、および／または外部加熱されて（ｈｅａｔ  ｔｒａｃｅｄ）、開始を促進し、流体の流れを確実にすることが可能である。
【００７５】
実施形態によっては、垂直で、傾斜した、またはＬ形状の坑井加熱器坑井穴が、Ｕ字形状の坑井穴の代わりに使用されてもよい（例えば、坑井穴は、第１の位置の入口および他の位置の出口を有する）。図３は、Ｌ形状の加熱器２００を表す。加熱器２００は、熱伝導流体循環システム２０２に結合されることが可能であり、入口コンジット２１４および出口コンジット２１６を含むことが可能である。熱伝導流体循環システム２０２は、多数の加熱器に熱伝導流体をもたらすことが可能である。熱伝導流体循環システム２０２からの熱伝導流体は、入口コンジット２１４を流下し、出口コンジット２１６を還流することが可能である。入口コンジット２１４および出口コンジット２１６は、オーバーバーデン２１８を介して断熱されていてもよい。実施形態によっては、入口コンジット２１４は、オーバーバーデン２１８および炭化水素含有層２２０を介して断熱されて、出入りする熱伝導流体間の不要な熱伝導を抑制する。
【００７６】
実施形態によっては、オーバーバーデン２１８に隣接する坑井穴２２２の一部は、炭化水素含有層２２０に隣接する坑井穴の一部より大きい。オーバーバーデンに隣接するより大きな開口部を有することは、入口コンジット２１４および／または出口コンジット２１６を断熱するために使用される断熱の調整を可能にしてもよい。特に、熱伝導流体が、液体のままであるために加熱される必要がある溶融塩または他の流体である場合、戻り流れからオーバーバーデンへの熱損失の一部は、効率に著しく影響しない可能性がある。加熱器２００に隣接する加熱されたオーバーバーデンは、かなりの時間、液体が熱伝導流体の循環を停止するべきであるとともに、熱伝導流体を液体として維持してもよい。オーバーバーデン２１８に対するいくらかの熱伝導ためのいくらかの許容を有することは、出口コンジット２１６とオーバーバーデンとの間の高価な断熱システムの必要を取り除くことが可能である。実施形態によっては、オーバーバーデン２１８と出口コンジット２１６との間で断熱セメントが使用される。
【００７７】
垂直で、傾斜した、またはＬ形状の加熱器に関して、坑井穴は、通電されていない加熱器（例えば、設けられたが使用されていない加熱器）を調整するために必要とされるよりも長く掘削されることが可能である。通電後の加熱器の熱膨張は、加熱器の熱膨張を調整するために設計された坑井穴の余長に加熱器の一部を移動させることが可能である。Ｌ形状の加熱器に関して、坑井穴内に掘削流体および／または地層流体を残すことは、加熱器が、熱伝導流体での予熱および／または加熱の間に膨張するとともに、坑井穴により深い加熱器の移動を容易にすることを可能とする。
【００７８】
垂直で、傾斜した坑井穴に関して、坑井穴は、通電されていない加熱器を調整するために必要とされるよりも深く掘削されることが可能である。加熱器が熱伝導流体で予熱および／また加熱される場合、加熱器は、坑井穴の余分な深さに膨張することが可能である。実施形態によっては、膨張スリーブが加熱器の端に取り付けられて、不安定なボアホールの場合には熱膨張のための利用可能な空間を確保することが可能である。
【００７９】
図４は、垂直加熱器２００の一部の一実施形態の概略図を表す。熱伝導流体循環システム２０２は、加熱器２００の入口コンジット２１４に熱伝導流体をもたらすことが可能である。熱伝導流体循環システム２０２は、出口コンジット２１６から熱伝導流体を受けてもよい。入口コンジット２１４は、溶接２２８によって出口コンジット２１６に固定されていてもよい。入口コンジット２１４は断熱スリーブ２２４を含んでいてもよい。断熱スリーブ２２４は、複数の部分から形成されていてもよい。入口コンジット２１４用の断熱スリーブ２２４の各部分は、入口コンジットの温度と断熱スリーブの外側の温度との温度差によって引き起こされる熱膨張を調整することができる。熱膨張による入口コンジット２１４および断熱スリーブ２２４の長さの変化は、出口コンジット２１６内で調整される。
【００８０】
出口コンジット２１６は、断熱スリーブ２２４’を含んでいてもよい。断熱スリーブ２２４’は、オーバーバーデン２１８と炭化水素層２２０との境界近くで終了することが可能である。実施形態によっては、断熱スリーブ２２４’は、コイル管掘削装置を使用して設置される。断熱スリーブ２２４’の上側の第１の部分は、溶接２２８によって、坑口２２６上、またはその坑口２２６に近い出口コンジット２１６に固定されることが可能である。加熱器２００は、断熱スリーブ２２４’の外側支持部材と坑口との間の結合によって坑口２２６内で支持されることが可能である。断熱スリーブ２２４’の外側支持部材は、加熱器２００を支持するのに十分な強度を有することが可能である。
【００８１】
実施形態によっては、断熱スリーブ２２４’は、第２の部分（断熱スリーブ部２２４’’）を含み、第２の部分は、別個であり、断熱スリーブ２２４’の第１の部分より低い。断熱スリーブ部２２４’’は、溶接２２８またはパッカー２３０より下で高温に耐えることができる他の種類のシールによって出口コンジット２１６に固定されることが可能である。断熱スリーブ部２２４’’と出口コンジット２１６との間の溶接２２８は、断熱スリーブと出口コンジットとの間を地層流体が通ることを抑制することが可能である。加熱の間に、断熱スリーブ２２４’のより冷たい外面とより熱い内面との間の熱膨張差が、断熱スリーブの第１の部分と断熱スリーブ（断熱スリーブ部２２４’’）の第２の部分との間の分離を引き起こす可能性がある。この分離は、パッカー２３０より上で加熱器２００のオーバーバーデン部分に隣接して生じる可能性がある。ケーシング２３８と地層との間の断熱セメントは、さらに、地層への熱損失を抑制し、システムの全エネルギー効率を向上することが可能である。
【００８２】
パッカー２３０は研磨された穴受け器であってもよい。パッカー２３０は、坑井穴２２２のケーシング２３８に固定されることが可能である。実施形態によっては、パッカー２３０は、地表の下１０００ｍ以上である。パッカー２３０は、必要に応じて１０００ｍを超える深さに位置することが可能である。パッカー２３０は、地層流体が、坑井穴までの地層の加熱された部分から坑口２２６に流れることを抑制することが可能である。パッカー２３０は、断熱スリーブ部２２４’’の下方への移動を可能にして、加熱器２００の熱膨張を調整する。
【００８３】
実施形態によっては、坑口２２６は、固定シール２３２を含む。固定シール２３２は、加熱器２００の坑井穴２２２を介して地層流体が地表に達することを抑制する第２のシールであってもよい。
【００８４】
図５は、坑井穴２２２内の垂直加熱器２００の一部の他の実施形態の概略図を表す。図５で表された実施形態は、図４で表された実施形態に類似しているが、固定シール２３２は、オーバーバーデン２１８に隣接して位置し、滑りシール２３４は、坑口２２６内に位置している。固定シール２３２から坑口２２６までの断熱スリーブ２２４’の一部は、坑口から上方に拡大して熱膨張を調整することができる。固定シール２３２の下方に位置する加熱器の一部は、坑井穴２２２の過剰長さに拡大して、熱膨張を調整することができる。
【００８５】
実施形態によっては、加熱器は、流れ切り換え装置を含む。流れ切り換え装置は、循環システムからの熱伝導流体が加熱器の入口コンジット内でオーバーバーデンを介して流下することを可能にしてもよい。加熱器からの戻り流れは、入口コンジットと出口コンジットとの間の環状領域を上に向かって流れることが可能である。流れ切り換え装置は、出口コンジットと入口コンジットとの間で、入口コンジットから環状領域への下降流を変更することが可能である。流れ切り換え装置は、また、入口コンジットから環状領域への上昇流を変更してもよい。流れ切り換え装置の使用は、加熱器にもたらされる熱伝導流体の初期温度を上昇させることなく、処理領域に隣接する高温で加熱器が作動することを可能にしてもよい。
【００８６】
熱伝導流体の流れが入口コンジットの下方を向いており、入口コンジットと出口コンジットとの間の環状領域を介して戻る、垂直で、傾斜した、またはＬ形状の加熱器に関して、温度勾配は、最も熱い部分が加熱器の遠位端に位置する加熱器に生じる可能性がある。Ｌ形状の加熱器に関して、１セットの第１の加熱器の水平部分は、第２のセットの加熱器の水平部分と交互にされてもよい。第１のセットの加熱器の地層を加熱するために使用される最も熱い部分は、第２のセットの加熱器の地層を加熱するために使用される最も冷たい部分に隣接していてもよく、一方、第２のセットの加熱器の地層を加熱するために使用される最も熱い部分は、第１のセットの加熱器の地層を加熱するために使用される最も冷たい部分に隣接する。垂直加熱器または傾斜加熱器に関して、選択された加熱器における流れ切り換え装置は、加熱器が、第１の加熱器の地層を加熱するために使用される最も熱い部分が、第２の加熱器の地層を加熱するために使用される最も冷たい部分に隣接して配置されることを可能にしてもよい。第２のセットの加熱器の地層を加熱するために使用される最も冷たい部分に隣接する第１のセットの加熱器の地層を加熱するために使用される最も熱い部分を有することは、地層のより一定の加熱を可能にしてもよい。
【００８７】
実施形態によっては、熱伝導流体がオーバーバーデン２１８内を流れるコンジットの直径は、処理領域を通るコンジットの直径より小さくてもよい。例えば、オーバーバーデン内配管の直径は、約３インチ（約７．６ｃｍ）であってもよく、処理領域に隣接する配管の直径は、約５インチ（約１２．７ｃｍ）であってもよい。オーバーバーデン２１８を通るより小さな直径の配管は、熱伝導流体からオーバーバーデンへの熱損失を低減することが可能である。オーバーバーデン２１８への熱損失を低減することは、炭化水素層２２０に隣接するコンジットに供給される熱伝導流体の冷却を低減する。ある実施形態では、より小さな直径配管を通る熱伝導流体の速度が増大することによるより小さな直径配管における熱損失の増加は、より小さな直径配管のより小さな地表積およびより小さな直径配管における熱伝導流体の滞留時間の減少によって相殺される。
【００８８】
熱伝導流体循環システム２０２の熱供給２０４からの熱伝導流体は、炭化水素層２２０への地層２１２のオーバーバーデン２１８を通る。ある実施形態では、オーバーバーデン２１８を延在する加熱器２００の一部は断熱される。実施形態によっては、断熱材料または断熱材料の一部は、ポリイミド断熱材料である。実施形態によっては、炭化水素層２２０内の加熱器２００の入口部分は、テーパ状の断熱材料を有して、炭化水素層への加熱器の入口に近い炭化水素層の過熱を低減する。
【００８９】
加熱器２００のオーバーバーデン部分は断熱されて、地層の非炭化水素ベアリングゾーンへの熱損失を防ぐ、または抑制することが可能である。実施形態によっては、断熱材料は、コンジットインコンジット設計によって設けられる。熱伝導流体は内部コンジットを流れる。断熱材料は、内側コンジットと外側コンジットとの間の空間を満たす。効果的な断熱材料は、放射熱損失を抑制する金属箔と、伝導熱損失を抑制する微小孔のあるシリカ粉末との組み合わせであってもよい。コンジットインコンジット設計を使用する場合に、組み立ての間に、および／またはゲッターで真空引きすることによって内側コンジットと外側コンジットとの間の空間の圧力を低減することは、さらに、熱損失を低減することを可能にする。内側コンジットと外側コンジットとの熱膨張差を説明するために、内側コンジットは、予め圧力を加えられてもよく、または低熱膨張材料（例えば、インバー合金）から製作されてもよい。断熱されたコンジットインコンジットは、コイル管設置と共に連続的に設置されてもよい。断熱されたコンジットインコンジットシステムは、Ｉｎｄｕｓｔｒｉａｌ  Ｔｈｅｒｍｏ  Ｐｏｌｙｍｅｒｓ  Ｌｉｍｉｔｅｄ（Ｏｎｔａｒｉｏ、Ｃａｎａｄａ）およびＯｉｌ  Ｔｅｃｈ  Ｓｅｒｖｉｃｅｓ，Ｉｎｃ．（Ｈｏｕｓｔｏｎ、Ｔｅｘａｓ、ＵＳＡ）から入手されることが可能である。他の効果的な断熱材料としては、セラミックブランケット、発泡セメント、低熱伝導率の骨材（蛭石など）を備えたセメント、Ｉｚｏｆｌｅｘ（ＴＭ）断熱材料、およびＡｓｐｅｎ  Ａｅｒｇｅｌｓ，Ｉｎｃ（Ｎｏｔｒｈｂｏｒｏｕｇｈ、Ｍａｓｓａｃｈｕｓｅｔｔｓ、ＵＳＡ）によって提供されるものなどのエアロゲル／ガラス繊維複合体が挙げられるが、それらに限定されない。
【００９０】
図６は、オーバーバーデン断熱材料の一実施形態の断面図を表す。断熱セメント２３６が、ケーシング２３８と地層２１２との間に置かれていてもよい。断熱セメント２３６は、また、熱伝導流体のコンジット２４０とケーシング２３８との間に置かれていてもよい。
【００９１】
図７は、熱伝導流体のコンジット２４０のまわりの断熱スリーブ２２４を含むオーバーバーデン断熱の別の実施形態の断面図を表す。断熱スリーブ２２４は、例えば、エアロゲルを含んでいてもよい。ギャップ２４２は、断熱スリーブ２２４とケーシング２３８との間に位置していてもよい。断熱スリーブ２２４およびケーシング２３８の放射率は低く、ガス２４２内の放射熱伝導を抑制することができる。非反応性ガスは、断熱スリーブ２２４とケーシング２３８との間のギャップ２４２内に位置していてもよい。ギャップ２４２内のガスは、断熱スリーブ２２４とケーシング２３８との間の伝導熱伝導を抑制することができる。実施形態によっては、真空引きされ、ギャップ２４２内で真空が維持されてもよい。断熱セメント２３６は、ケーシング２３８と地層２１２との間に置かれてもよい。実施形態によっては、断熱スリーブ２２４は、断熱セメントの熱伝導率値よりかなり小さい熱伝導率の値を有する。ある実施形態では、図７で表された断熱材料によってもたらされる断熱は、図６で表された断熱材料によってもたらされる断熱よりも良好とすることが可能である。
【００９２】
図８は、熱伝導流体のコンジット２４０のまわりの断熱スリーブ２２４、断熱スリーブとコンジット２４６との間の真空ギャップ２４４、およびコンジットとケーシング２３８との間のギャップ２４２を備えたオーバーバーデン断熱材料の別の実施形態の断面図を表す。断熱セメント２３６は、ケーシング２３８と地層２１２との間に置かれていてもよい。非反応性ガスは、コンジット２４６とケーシング２３８との間のギャップ２４２内に置かれていてもよい。実施形態によっては、真空引きされ、ギャップ２４２内で真空が維持されてもよい。真空引きされ、断熱スリーブ２２４とコンジット２４６との間の真空ギャップ２４４内で真空が維持されてもよい。断熱スリーブ２２４は、ホイル２４８によって分離された断熱材料の層を含んでいてもよい。断熱材料は、例えば、エアロゲルであってもよい。ホイル２４８によって分離された断熱材料の層は、熱伝導流体のコンジット２４０のまわりに実質的な断熱をもたらすことが可能である。真空ギャップ２４４は、断熱スリーブ２２４とコンジット２４６との間の放射熱伝導、対流熱伝導および／または伝導熱伝導を抑制することが可能である。非反応性ガスは、ギャップ２４２内にセットされてもよい。コンジット２４６およびケーシング２３８の放射率は低く、コンジットとケーシングとの間の放射熱伝導を抑制することが可能である。ある実施形態では、図８で表された断熱材料によってもたらされる断熱は、図７で表された断熱材料によってもたらされる断熱より良好とすることができる。
【００９３】
熱伝導流体が、地層内で配管を介して循環されて地層を加熱する場合、熱伝導流体の熱は、配管の変化を引き起こす可能性がある。ヤング率および他の強度特性が温度に応じて変化するので、配管内の熱は、配管の強度を低下する可能性がある。配管内の高温は、クリープの懸念を引き起こし、バックリング状態を引き起こし、弾性変形領域から塑性変形領域に配管を移動させる可能性がある。
【００９４】
配管を加熱することは、配管の熱膨張を引き起こす可能性がある。坑井穴内に置かれた長い加熱器に関して、配管は、２０ｍ以上膨張する可能性がある。実施形態によっては、配管の水平部分は、熱伝導性セメントで地層に結合される。ギャップ内への配管の膨張および考えられる不都合を抑制するために、セメント内に目立ったギャップがないことを確実にするには注意が必要である可能性がある。配管の熱膨張は、配管内のリップルおよび／または配管の肉厚の増大を引き起こす可能性がある。
【００９５】
段階的な曲げ半径（例えば、３０ｍあたり約１０°の曲げ）を備えた長い加熱器に関して、配管の熱膨張は、オーバーバーデン内または地層の地表で調整されることが可能である。熱膨張が完了した後、坑口に対する加熱器の位置が固定されていてもよい。加熱が終了され、地層が冷却される場合、加熱器の熱収縮が加熱器を破壊しないように、加熱器の位置は固定されなくてもよい。
【００９６】
図９から図１９は、熱膨張を調整するための様々な方法の概略図を表す。実施形態によっては、熱膨張による加熱器の長さの変化は、坑口の上で調整されてもよい。熱膨張による加熱器の長さの実質的変化が止まった後、坑口に対する加熱器位置は固定されてもよい。坑口に対する加熱器位置は、地層の加熱の終了まで固定されたままであってもよい。加熱が終了された後、坑口に対する加熱器の位置は、加熱器が冷えるとともに、自由にされて（固定されず）、加熱器の熱収縮を調整してもよい。
【００９７】
図９は、ベローズ２５０の説明を表す。ベローズ２５０の長さＬは変化して、配管２５２の熱膨張および／または収縮を調整することが可能である。ベローズ２５０は、地表下または地表上に位置していてもよい。実施形態によっては、ベローズ２５０は、坑口から熱を移動する流体を含む。
【００９８】
図１０Ａは、熱膨張を調整するための、坑口２２６の上に膨張ループ２５４を備えた配管２５２の説明を表す。坑口２２６内の滑りシール、スタッフィングボックス、または坑口の他の圧力制御装置は、配管２５２がケーシング２３８に対して移動することを可能にする。配管２５２の膨張は、膨張ループ２５４内で調整される。実施形態によっては、２つ以上の膨張ループ２５４を使用して、配管２５２の膨張を調整する。
【００９９】
図１０Ｂは、熱膨張を調整するための、坑口２２６の上のコイル配管またはスプール配管２５６を備えた配管２５２の説明を表す。坑口２２６内の滑りシール、スタッフィングボックス、または坑口の他の圧力制御装置は、配管２５２がケーシング２３８に対して移動することを可能にする。配管２５２の膨張は、コイル配管２５６内で調整される。実施形態によっては、膨張は、コイル管掘削装置を使用するスプール上で地層から抜け出る加熱器の一部を巻くことによって調整される。
【０１００】
実施形態によっては、図１０Ｃで示されるように、コイル配管２５６が、断熱体積２５８で囲まれていてもよい。断熱体積２５８でコイル配管２５６を囲むことは、コイル配管およびコイル配管内部の流体からの熱損失を低減することが可能である。実施形態によっては、コイル配管２５６は、２フィート（約０．６ｍ）から４フィート（約１．２ｍ）の直径を有し、配管２５２の約３０フィート（約９．１ｍ）までを調整する。
【０１０１】
図１１は、配管の熱膨張が生じた後、オーバーバーデン２１８内の配管２５２の一部を表す。ケーシング２３８は、大きな直径を有して、配管２５２のバックリングを調整する。断熱セメント２３６は、オーバーバーデン２１８とケーシング２３８との間にあってもよい。配管２５２の熱膨張は、配管のらせん状または正弦曲線のバックリングを引き起こす。配管２５２のらせん状または正弦曲線のバックリングは、加熱される処理領域に隣接する水平配管を含めて、配管の熱膨張を調整する。図１２で表されるように、配管２５２は、大きな直径のケーシング２３８内に位置する１つより多いコンジットであってもよい。複合コンジットとして配管２５２を有することは、オーバーバーデン２１８内で配管を流れる流体の圧力低下を増大させることなく、地層内で配管のすべての熱膨張の調整を可能にする。
【０１０２】
実施形態によっては、地表下の配管の熱膨張は、坑口まで平行移動される。膨張は、坑口で１つまたは複数の滑りシールによって調整されることが可能である。シールは、Ｇｒａｆｏｉｌ（Ｒ）ガスケット、Ｓｔｅｌｌｉｔｅ（Ｒ）ガスケット、および／またはＮｉｔｒｏｎｉｃ（Ｒ）ガスケットを含んでいてもよい。実施形態によっては、シールは、ＢＳＴ  Ｌｉｆｔ  Ｓｙｓｔｅｍｓ，Ｉｎｃ（Ｖｅｎｔｕｒａ、Ｃａｌｉｆｏｒｎｉａ、ＵＳＡ）から市販されているシールを含む。
【０１０３】
図１３は、滑りシール２３４を備えた坑口２２６の説明を表す。坑口２２６は、スタッフィングボックスおよび／または他の圧力制御装置を含んでいてもよい。循環流体は、コンジット２４０を通ることが可能である。コンジット２４０は、断熱されたコンジット２２４によって少なくとも部分的に囲まれていてもよい。断熱されたコンジット２２４の使用は、高温滑りシールの必要および熱伝導流体に対して密閉する必要を取り除くことが可能である。コンジット２４０の膨張は、膨張ループ、ベローズ、コイル配管もしくはスプール配管、および／または滑り継ぎ手を備えた地表で処理されてもよい。実施形態によっては、断熱されたコンジット２２４とケーシング２３８との間のパッカー２６０は、地層の圧力に対して坑井穴を密閉し、さらなる断熱のためのガスを保持する。パッカー２６０は、膨張可能なパッカーおよび／または研磨された穴受け器であってもよい。ある実施形態では、パッカー２６０は、約６００℃の温度まで作動可能である。実施形態によっては、パッカー２６０は、ＢＳＴ  Ｌｉｆｔ  Ｓｙｓｔｅｍｓ，Ｉｎｃ（Ｖｅｎｔｕｒａ、Ｃａｌｉｆｏｒｎｉａ、ＵＳＡ）から市販されているシールを含む。
【０１０４】
実施形態によっては、地表下の配管の熱膨張は、熱伝導流体のコンジットが地層から膨張して熱膨張を調整することを可能にする滑り継ぎ手で地表で処理される。熱い熱伝導流体が、固定コンジットから地層内の熱伝導流体のコンジットを通ることが可能である。地層から熱伝導流体を戻すことは、熱伝導流体のコンジットから固定コンジット内に通ることが可能である。地層内の固定コンジットと配管との間の滑りシール、および地層内の坑口と配管との間の滑りシールは、熱伝導流体のコンジットの膨張を滑り継ぎ手として調整することが可能である。
【０１０５】
図１４は、コンジット２４０内の熱伝導流体が、固定コンジット２６２に、または固定コンジット２６２から移動されるシステムの説明を表す。断熱スリーブ２２４は、コンジット２４０を囲んでいてもよい。滑りシール２３４は、断熱スリーブ２２４と坑口２２６との間にあってもよい。断熱スリーブ２２４とケーシング２３８との間のパッカーは、地層の圧力に対して坑井穴を密閉することが可能である。熱伝導流体シール２６４は、固定コンジット２６２の一部とコンジット２４０との間に位置していてもよい。熱伝導流体シール２６４は、固定コンジット２６２に固定されていてもよい。結果として生じる滑り継ぎ手は、断熱スリーブ２２４およびコンジット２４０が坑口２２６に対して移動することを可能にして、地層内に位置した配管の熱膨張を調整する。コンジット２４０は、また、熱膨張を調整するために、固定コンジット２６２に対して移動することができる。熱伝導流体シール２６４は、断熱されていなくてもよく、流れる熱伝導流体から空間的に分離されて、比較的低温で熱伝導流体シールを維持することが可能である。
【０１０６】
実施形態によっては、熱膨張は、熱伝導流体のコンジットが、自由に移動し、固定コンジットが坑口の一部である滑り継ぎ手で地表で処理される。図１５は、固定コンジット２６２が坑口２２６に固定されたシステムの説明を表す。固定コンジット２６２は、断熱スリーブ２２４を含んでいてもよい。熱伝導流体シール２６４は、コンジット２４０の上部に結合されていてもよい。熱伝導流体シール２６４は、断熱されていなくてもよく、流れる熱伝導流体から空間的に分離されて、比較的低温で熱伝導流体シールを維持していてもよい。コンジット２４０は、坑口２２６内で滑りシールの必要なしで固定コンジット２６２に対して移動することができる。
【０１０７】
図１６は、シール２６４の一実施形態を表す。シール２６４は、パッカー本体２６８に取り付けられたシールスタック２６６を含んでいてもよい。パッカー本体２６８は、パッカー設定スリップ２７０およびパッカー断熱シール２７２を使用してコンジット２４０に結合されていてもよい。シールスタック２６６は、コンジット２６２の研磨部分２７４と係合してもよい。実施形態によっては、カムローラー２７６は、シールスタック２６６に対する支持をもたらすために使用される。例えば、側面荷重がシールスタックに対して大きすぎる場合である。実施形態によっては、ワイパー２７８がパッカー本体２６８に結合される。コンジット２６２がシール２６４を介して挿入されるにつれて、研磨された部分２７４をきれいにするためにワイパー２７８が使用されてもよい。必要ならば、ワイパー２７８は、シール２６４の上側に位置してもよい。実施形態によっては、シールスタック２６６は、弓スプリングまたは他の予圧手段を使用して良好な接触のために負荷をかけられて、シールの圧縮を向上する。
【０１０８】
実施形態によっては、シール２６４およびコンジット２６２は、コンジット２４０内に結合される。マンドレルなどの係止機構が使用されて、所定の位置にシールおおびコンジットを固定してもよい。図１７は、シール２６４、コンジット２４０および所定の位置に係止機構２８０で固定されたコンジット２６２の実施形態を表す。係止機構２８０は、断熱シール２８２および係止スリップ２８４を含む。シール２６４およびコンジット２６２がコンジット２４０内に入るとともに、係止機構２８０が作動されることが可能である。
【０１０９】
係止機構２８０がコンジット２４０の選択された部分と係合するとともに、係止機構内のスプリングが作動され、係止スリップ２８４の真上でコンジット２４０の地表に対して断熱シール２８２を開き、露出する。係止機構２８０は、アセンブリがコンジット２４０内に移動されるとともに断熱シール２８２が待避されることを可能にする。コンジット２４０のプロファイルが係止機構を起動する場合、断熱シールは開かれ露出される。
【０１１０】
ピン２８６は、係止機構２８０、シール２６４、コンジット２４０およびコンジット２６２を所定の位置に固定する。ある実施形態では、ピン２８６は、選択された温度後のアセンブリを解除して、コンジットの移動（運動）を可能にする。例えば、ピン２８６は、所望の温度より上で熱的に分解する（例えば、溶解）材料から製作されてもよい。
【０１１１】
実施形態によっては、係止機構２８０は、軟質金属シール（例えば、熱泉内でロッドポンプを設定するために一般的に使用される軟質金属摩擦シール）を使用して、所定の位置に設定される。図１８は、軟質金属シール２８８を使用して所定の位置に設定された係止機構２８０を備えた実施形態を表す。軟質金属シール２８８は、コンジット２４０の内径の低減に対して崩壊することにより機能する。金属シールの使用は、弾性シールの使用に対してアセンブリの寿命を向上させることが可能である。
【０１１２】
ある実施形態では、リフトシステムが、地層から延在する加熱器の配管に結合されている。リフトシステムは、地層から加熱器の一部を持ち上げて、熱膨張を調整することが可能である。図１９は、加熱器２００が坑井穴内に位置したＵ字形状の坑井穴２２２の説明を表す。坑井穴２２２は、ケーシング２３８および下側シール２９０を含んでいてもよい。加熱器２００は、処理領域３００に隣接する加熱器部２９４を備えた断熱部２９２を含んでいてもよい。移動シール２６４は、加熱器２００の上部に結合されていてもよい。リフトシステム２９６は、坑口２２６上で断熱部２９２に結合されていてもよい。非反応性ガス（例えば、窒素および／または二酸化炭素）が、ケーシング２３８と断熱部２９２との間の地表下の環状領域２９８に導入されて、ガス状の地層流体が坑口２２６に上昇することを抑制するとともに、断熱ガスブランケットを設けることが可能となる。断熱部２９２は、循環システムの熱伝導流体が内側コンジットを流れるコンジットインコンジットであってもよい。各断熱部２９２の外側コンジットは、内側コンジットより実質的に低温であってもよい。外側コンジットの低温は、外側コンジットが、加熱器２００を持ち上げるための耐荷重性部材として使用されることを可能にする。外側コンジットと内側コンジットとの膨張差は、内部ベローズおよび／または滑りシールによって緩和されることが可能である。
【０１１３】
リフトシステム２９６は、油圧リフタ、動力型コイル管掘削装置、および／または加熱器２００を支持できるとともに、地層に、または地層から断熱部２９２を移動させることができる釣り合いおもりシステムを含んでいてもよい。リフトシステム２９６が油圧ジャッキを含む場合、断熱部２９２の外側コンジットは、専用潤滑移行継手によって油圧リフタで冷却されたままであってもよい。油圧ジャッキは、２セットのスリップを含んでいてもよい。第１のセットのスリップは、加熱器に結合されていてもよい。油圧ジャッキは、油圧シリンダーのフルストロークのために加熱器に対して一定の圧力を維持することが可能である。油圧シリンダーのストロークがリセットされている一方、第２のセットのスリップは、外側コンジットに対して周期的に設定されてもよい。リフトシステム２９６は、また、歪みゲージおよび制御システムを含んでいてもよい。歪みゲージは、断熱部２９２の外側コンジットに取り付けられてもよく、または、歪みゲージは、断熱材料より下の断熱部の内側コンジットに取り付けられてもよい。外側コンジットに歪みゲージを取り付けることは、より容易とすることが可能であり、取り付け結合はより信頼できるものであってもよい。
【０１１４】
加熱が始まる前に、制御システムのための設定点がリフトシステム２９６を使用することによって確立されて、加熱器の一部が坑井穴２２２の曲げ部分においてケーシング２３８に接触するように加熱器２００を持ち上げることが可能である。加熱器２００が持ち上げられる場合の歪みは、制御システムのための設定点として使用されることが可能である。他の実施形態では、設定点は異なる方法で選択される。加熱が始まると、加熱器部２９４は膨張し始め、加熱器部の一部は水平に進む。膨張がケーシング２３８に対して加熱器２００の一部を押し付ければ、加熱器の重量は、断熱部２９２とケーシングとの接触点で支持される。リフトシステム２９６によって測定された歪みは０に達する。さらなる熱膨張が、加熱器２００を曲げ、機能しなくさせる可能性がある。加熱器２００をケーシング２３８に押し付ける代わりに、リフトシステム２９６の油圧ジャッキは、断熱部２９２の部分を地層の上方に、および地層から移動させて、ケーシングの上端に対して加熱器を維持することが可能である。リフトシステム２９６の制御システムは、加熱器２００を持ち上げて、設定点の値に近い歪みゲージによって測定された歪みを維持することが可能である。リフトシステム２９６は、また、地層が熱収縮の間に加熱器２００に対する損傷を回避するために冷える場合に、地層に断熱部２９２を再導入するために使用されることが可能である。
【０１１５】
ある実施形態では、加熱器の熱膨張は、比較的短期間で完了される。実施形態によっては、熱膨張が完了した後に、加熱器の位置は、坑井穴に対して固定される。リフトシステムは、加熱器から取り除かれ、まだ加熱されていない他の加熱器上で使用されることが可能である。地層が加熱器の熱収縮を調整するために冷却される場合、リフトシステムは、加熱器に再び取り付けられることが可能である。
【０１１６】
実施形態によっては、リフトシステムは、リフターの油圧に基づいて制御される。配管の伸張の変化は、油圧の変化をもたらす可能性がある。制御システムは、設定された油圧で、油圧を実質的に維持して、地層内で加熱器の熱膨張の調整をもたらすことが可能である。
【０１１７】
ある実施形態では、循環システムは、液体を使用して地層を加熱する。液体熱伝導流体の使用は、液体熱伝導流体を加熱するために使用される熱供給の高エネルギー効率による電気的加熱またはガス加熱器と比較して、システムに関する高い全エネルギー効率を可能にする。液体熱伝導流体を加熱するために炉が使用される場合、炉の効率のため、電気的加熱または坑井穴内に位置するガスバーナーの使用と比較して、プロセスの二酸化炭素の排出量（ｆｏｏｔｐｒｉｎｔ）は低減されることが可能である。液体熱伝導流体を加熱するために原子力が使用される場合、プロセスの二酸化炭素排出量は著しく低減される、または除去されることが可能である。加熱システムのための地表設備が、単純なレイアウトで一般に市販されている工業装置から形成されてもよい。単純なレイアウトで一般に市販されている装置は、システムの全面的な信頼性を増大させることが可能である。
【０１１８】
ある実施形態では、液体熱伝導流体は、温度が選択された温度未満である場合に凝固する可能性を有する溶融塩または他の液体である。第２の加熱システムは、熱伝導流体が液体の形態のままであり、熱伝導流体が循環システムから加熱器を介して流れることを可能にする温度であることを確実にすることが必要とされることができる。ある実施形態では、第２の加熱システムは、加熱器および／または熱伝導流体を、溶解しより高温に加熱する代わりに熱伝導流体の流動性を確実にするのに十分な温度に熱伝導流体を加熱する。第２の加熱システムは、流体循環システムのスタートアップおよび／または再スタートアップの短期間に、単に必要とされてもよい。実施形態によっては、第２の加熱システムは、加熱器から除去可能である。実施形態によっては、第２の加熱システムは、加熱器の寿命に似た期待される耐用年限を有さない。
【０１１９】
ある実施形態では、熱伝導流体として溶融塩が使用される。断熱された戻り貯蔵タンクは、地層から戻り溶融塩を受ける。戻り貯蔵タンク内の温度は、例えば、約３５０℃近くであってもよい。ポンプは、戻り貯蔵タンクから炉に溶融塩を移動させることが可能である。各ポンプは、４ｋｇ／ｓから３０ｋｇ／ｓの溶融塩を移動する必要があってもよい。各炉は、溶融塩に熱をもたらすことが可能である。炉からの溶融塩の出口温度は、約５５０℃であってもよい。溶融塩は、炉から断熱された給送貯蔵タンクに配管を介して通ることが可能である。各給送貯蔵堰は、例えば、地層に入る５０以上の配管システムに溶融塩を供給することが可能である。溶融塩は、地層を介して戻り貯蔵タンクに流れる。ある実施形態では、炉は、９０％以上の効率を有する。ある実施形態では、オーバーバーデンに対する熱損失は８％以下である。
【０１２０】
実施形態によっては、循環システム用加熱器は、処理領域を加熱するために使用される加熱器の一部を含めて、加熱器の長さに沿った断熱材料を含む。断熱材料は、地層内への加熱器の挿入を容易にすることが可能である。処理領域を加熱するために使用される部分に隣接する断熱材料は、予備加熱の間に断熱をもたらすのに十分であってもよいが、熱伝導流体の定常状態の循環によって生成される温度で分解してもよい。実施形態によっては、断熱層は、加熱器の放射率を変更して、加熱器からの放射熱伝導を抑制する。断熱材料の分解の後に、加熱器の放射率は、処理領域に放射熱伝導を促進することが可能である。断熱材料は、熱伝導流体の溶解および流動性を確実にするのに十分な温度に、加熱器および／または加熱器内の熱伝導流体の温度を上げるために必要な時間を低減することが可能である。実施形態によっては、処理領域を加熱する加熱器の一部に隣接する断熱材料は、ポリマーコーティングを含んでいてもよい。ある実施形態では、オーバーバーデンに隣接する加熱器の一部の断熱材料は、処理領域を加熱するために使用される加熱器の一部に隣接する加熱器の断熱材料と異なる。オーバーバーデンに隣接する加熱器の断熱材料は、加熱器の耐用年限以上の期待される耐用年限を有してもよい。
【０１２１】
実施形態によっては、分解性断熱材料（例えば、ポリマー発泡体）は、加熱器の配置の後または配置の間に坑井穴に導入されてもよい。分解性断熱材料は、予備加熱の間に処理領域を加熱するために使用される加熱器の一部に隣接して断熱材料をもたらしてもよい。処理領域を加熱するために使用される液体熱伝導流体は、断熱層を分解し、取り除くのに十分に加熱器の温度を上げることが可能である。
【０１２２】
熱伝導流体として溶融塩または他の液体を使用する循環システムの実施形態によっては、加熱器は、地層内で単一のコンジットであってもよい。コンジットは、熱伝導流体の流動性を確実にするのに十分な温度に予備加熱されてもよい。実施形態によっては、第２の熱伝導流体は、コンジットを介して循環されて、コンジットおよび／またはコンジットに隣接する地層を予備加熱する。コンジットおよび／またはコンジットに隣接する地層の温度が、十分に熱い後、第２の流体は、コンジットから流されてもよく、熱伝導流体は、配管を介して循環されてもよい。
【０１２３】
実施形態によっては、熱伝導流体として使用される塩組成物（例えば、Ｌｉ：Ｎａ：Ｋ：ＮＯ３）の水溶液が、コンジットを予備加熱するために使用される。第２の熱伝導流体の温度は、坑口の地表下の出口の温度以下であってもよい。
【０１２４】
実施形態によっては、第２の熱伝導流体（例えば、水）は、０℃から約９５℃の範囲、または第２の熱伝導流体の沸点までの温度に加熱される。塩組成物は、循環システムの貯蔵タンクにある間に、第２の熱伝導流体に加えられてもよい。温度が上昇されるにつれて、塩の組成物および／またはシステムの圧力は調節されて、水溶液の沸騰を抑制することが可能である。コンジットが、溶融塩の流動性を確実にするのに十分な温度に予備加熱される場合、残りの水は、水溶液から取り除かれて溶融塩のみを残すことが可能である。水は、塩溶液が、循環システムの貯蔵タンクにある間に、蒸発によって取り除かれることが可能である。実施形態によっては、溶融塩溶液の温度は１００℃を超えて上げられる。コンジットが、溶融塩の流動性を確実にするのに十分な温度に予備加熱される場合、残る第２の熱伝導流体（例えば、水）の実質的、またはすべてが、塩溶液から取り除かれて、溶融塩だけを残すことが可能である。実施形態によっては、蒸発プロセスの間の溶融塩溶液の温度は、１００℃から２５０℃に及ぶ。
【０１２５】
インサイチュ熱処理プロセスの完了の際に、溶融塩は冷却され、水が塩に加えられて、他の水溶液を形成することが可能である。水溶液は他の処理領域に移動されてもよく、プロセスは続けられてもよい。水溶液としての第三溶融塩の使用は、溶液の移動を容易にし、地層の２つ以上の部分が同じ塩で処理されることを可能にする。
【０１２６】
熱伝導流体として溶融塩または他の液体を使用する循環システムの実施形態によっては、加熱器は、コンジットインコンジット構造を有していてもよい。地層を加熱するために使用される液体熱伝導流体は、加熱器を介して第１の通路を流れること可能である。第２の熱伝導流体は、予備加熱のため、および／または液体熱伝導流体の流量保証のためにコンジットインコンジット加熱器を介して第２の通路を流れることが可能である。加熱器が、加熱器を介して熱伝導流体の継続的な流れを確実にするのに十分な温度に上げられた後、第２の熱伝導流体用の通路で真空が引かれて、第１の通路から第２の通路への熱伝導を抑制することが可能である。実施形態によっては、第２の熱伝導流体用の通路は、断熱材料で満たされる、および／または別の方法で閉鎖される。コンジットインコンジット加熱器のコンジット内の通路は、内側コンジット、および内側コンジットと外側コンジットとの間の環状領域を含んでいてもよい。実施形態によっては、１つまたは複数の流れ切り換え装置が使用されて、内側コンジットから環状領域に、および／または逆の場合も同様にコンジットインコンジット加熱器内の流れを変更する。
【０１２７】
図２０は、処理領域３００に隣接する熱伝導循環加熱システム用のコンジットインコンジット加熱器２００の一実施形態の断面図を示す。加熱器２００は、坑井穴２２２内に位置していてもよい。加熱器２００は、外側コンジット３０４および内側コンジット３０６を含んでいてもよい。加熱器２００の通常動作の間に、液体熱伝導流体は、外側コンジット３０４と内側コンジット３０６との間の環状領域３０８を流れることが可能である。通常動作の間に、内側コンジット３０６を流れる流体は必要でなくなる。
【０１２８】
予備加熱の間に、および／または流量保証については、第２の熱伝導流体は、内側コンジット３０６を流れることが可能である。第２の流体は、空気、二酸化炭素、排気ガス、および／または天然もしくは合成潤滑油（例えば、Ｄｏｗ／Ｔｈｅｒｍ  Ａ、ＳｙｌｔｈｅｒｍまたはＴｈｅｒｍｉｎｏｌ５９）、室温溶融塩（例えば、ＮａＣｌ２−ＳｒＣｌ２、ＶＣｌ４、ＳｎＣｌ４またはＴｉＣｌ４）、高圧液体水、蒸気または室温溶融金属合金（例えば、Ｋ−Ｎａ共晶混合物またはＧａ−Ｉｎ−Ｓｎ共晶混合物）であってもよいが、それらに限定されない。実施形態によっては、外側コンジット３０４は、地層を加熱するために使用される熱伝導流体が環状領域に導入される前に、環状領域３０８（例えば、二酸化炭素または排気ガス）を流れる第２の熱伝導流体によって加熱される。排気ガスまたは他の高温流体が使用される場合、他の熱伝導流体（例えば、水または蒸気）は加熱器を介して通されて、液体熱伝導流体の上方使用温度限界より下に温度を低減することが可能である。液体熱伝導流体が加熱器へ導入される場合、第２の熱伝導流体は環状領域から移動されることが可能である。内側コンジット３０６内の第２の熱伝導流体は、予備加熱の間に外側コンジット３０４を予備加熱するために使用される第２の流体と同じ流体または異なる流体であってもよい。２つの異なる第２の熱伝導流体の使用は、加熱器２００における完全性の問題の識別に有用であってもよい。溶融塩の使用が始められる前に、いずれの完全性の問題も識別され直されることが可能である。
【０１２９】
実施形態によっては、予備加熱の間に環状領域３０８を流れる第２の熱伝導流体は、通常動作の間に使用される塩の水性混合物である。塩濃度は、水性混合物の沸点より下のままの間に、周期的に上昇させて、温度を上昇させることが可能である。水性混合物が使用されて、溶融塩が環状領域３０８内を流れることを可能にするのに十分な温度に外側コンジット３０４の温度を上げることが可能である。温度が到達されると、水性混合物内の残りの水は、混合物から蒸発して、溶融塩を残すことが可能である。溶融塩が使用されて、処理領域３００を加熱することが可能である。
【０１３０】
実施形態によっては、内側コンジット３０６は、炭素鋼などの比較的安価な材料からなっていてもよい。実施形態によっては、内側コンジット３０６は、熱処理プロセスの初期段階を通じて耐える材料から製作されてもよい。外側コンジット３０４は、溶融塩および地層流体による腐食に強い材料（例えば、Ｐ９１鋼）から製作されてもよい。
【０１３１】
液体熱伝導流体の所定の質量流量に関して、外側コンジット３０４と内側コンジット３０６との間の環状領域３０８内を流れる液体熱伝導流体を使用して処理領域を加熱することは、単一のコンジットを介して液体熱伝導流体を流すことに優るある種の利点を有することが可能である。内側コンジット３０６を介して第２の熱伝導流体を流すことは、加熱器２００を予備加熱し、液体熱伝導流体が最初に使用される場合、および／または循環の停止後に流れを再スタートする必要がある場合、流れを確実にすることが可能である。外側コンジット３０４の大きな外面積は、地層への熱伝導のための大きな地表積をもたらし、一方、循環システムに必要とされる液体熱伝導流体の量は、内側コンジット３０６の存在のために低減される。循環される液体熱伝導流体は、同じ質量流量のための液体熱伝導流体の速度の増大により処理領域により良好な動力注入速度の分布をもたらすことが可能である。加熱器の信頼性も改善されることが可能である。
【０１３２】
実施形態によっては、熱伝導流体（溶融塩）は濃くなってもよく、外側コンジット３０４および／または内側コンジット３０６を介しての熱伝導流体の流れは遅くされ、および／または損なわれる。内側コンジット３０６の様々な部分を選択的に加熱することは、加熱器２００の様々な部品に十分な熱をもたらして、加熱器を介して熱伝導流体の流れを増大させることが可能である。加熱器２００の一部は、強磁性体、例えば、絶縁導電体を含み、電流が加熱器の選択された一部を通されることを可能にする。内側コンジット３０６を抵抗加熱することは、外側コンジット３０４および／または内側コンジット３０６内の高密度化熱伝導流体に十分な熱を移動して、コンジットを介して、溶融塩の加熱に先立って流れに対して増大された流れが得られるように、熱伝導流体の粘性を低下させる。時間依存性電流の使用は、熱伝導流体を介して電流を通すことなく、内側コンジットに電流が通されることを可能にする。
【０１３３】
図２１は、加熱器内の高密度化または固定化された熱伝導流体（例えば、溶融塩）の流れを再スタートするために加熱器２００の様々な部分を加熱するための概略を表す。ある実施形態では、内側コンジット３０６および／または外側コンジット３０４の一部は、断熱材料によって囲まれた強磁性体を含む。したがって、内側コンジット３０６および／または外側コンジット３０４のこれらの一部は、絶縁導電体３０２であってもよい。絶縁導電体３０２は、温度制限加熱器または表皮効果加熱器として作動してもよい。絶縁導電体３０２の表皮効果のために、絶縁導電体にもたらされる電流は、内側コンジット３０６および／または外側コンジット３０４に閉じ込められたままであり、コンジット内に位置する熱伝導流体を流れない。
【０１３４】
ある実施形態では、絶縁導電体３０２は、内側コンジット３０６の選択された長さ（例えば、内側コンジットの全長または内側コンジットのオーバーバーデン部分のみ）に沿って位置する。内側コンジット３０６に電気を適用することは、絶縁導電体３０２内に熱を発生する。発生された熱は、内側コンジットの選択された長さに沿って高密度化または固定化された熱伝導流体を加熱することが可能である。発生された熱は、内側コンジットの内部、および内側コンジットと外側コンジット３０４との間の環帯内の両方で、熱伝導流体を加熱することが可能である。ある実施形態では、内側コンジット３０６のみは、内側コンジットのオーバーバーデン部分内に位置する絶縁導電体３０２を含む。これらの絶縁導電体は、内側コンジット３０６のオーバーバーデン部分内で熱を選択的に発生する。内側コンジット３０６のオーバーバーデン部分を選択的に加熱することは、高密度化された熱伝導流体に熱を移動し、内側コンジットのオーバーバーデン部分内で流れを再スタートすることが可能である。そのような選択的加熱は、加熱器寿命を向上させ、熱伝導流体の高密度化または固定化に遭遇する可能性が最も高い領域において熱を集中させることによって電気的加熱コストを最小限することが可能である。
【０１３５】
ある実施形態では、絶縁導電体３０２は、外側コンジット３０４（例えば、外側コンジットのオーバーバーデン部分）の選択された長さに沿って位置する。外側コンジット３０４に電気を適用することは、絶縁導電体３０２内で熱を発生する。発生された熱は、内側コンジット３０６と外側コンジット３０４との間の環帯のオーバーバーデン部分を選択的に加熱することが可能である。十分な熱が外側コンジット３０４から移動されて、高密度化された熱伝導流体の粘性を低下させ、環帯内の溶融塩の損なわれていない流れを可能とする。
【０１３６】
ある実施形態では、コンジットインコンジット加熱器構造を有することは、流れが処理領域に隣接する場合の外側コンジットと内側コンジットとの間の環状領域を通る流れから、流れがオーバーバーデンに隣接する場合の内側コンジットを介しての流れに、加熱器内の熱伝導流体の流れを変更する流れ切り換え装置が使用されることを可能にする。図２２は、流体循環システム２０２、２０２’と共に使用されて、処理領域３００を加熱するコンジットインコンジット加熱器２００の概略図を表す。ある実施形態では、加熱器２００は、外側コンジット３０４、内側コンジット３０６、流れ切り換え装置３１０を含む。流体循環システム２０２、２０２’は、坑口２２６に加熱された液体熱伝導流体をもたらす。液体熱伝導流体の流れの方向は、矢印３１２によって示される。
【０１３７】
流体循環システム２０２からの熱伝導流体は、坑口２２６を介して内側コンジット３０６に通る。熱伝導流体は、流れ切り換え装置３１０を通り、それは、内側コンジット３０６から、外側コンジット３０４と内側コンジットとの間の環状領域に流れを変更する。熱伝導流体は、次いで、処理領域３００内の加熱器２００を流れる。熱伝導流体からの熱伝導は、処理領域３００に熱をもたらす。熱伝導流体は、次いで、第２の流れ切り換え装置３１０’を通り、それは、環状領域から内側コンジット３０６に流れを変更する。熱伝導流体は、第２の坑口２２６’を介して地層から取り除かれ、流体循環システム２０２’にもたらされる。流体循環システム２０２’からの加熱された熱伝導流体は、流体循環システム２０２に加熱器２００’を介して戻る。
【０１３８】
流体が処理領域３００に隣接する間に、環状領域を介して流体を通すために流れ切り換え装置３１０を使用することは、外側コンジット３０４の大きな熱伝導面積に部分的に起因する処理領域への増大される熱伝導を促進する。オーバーバーデン２１８に隣接する場合に内側コンジットを介して流体を通すために流れ切り換え装置３１０を使用することは、オーバーバーデンに対する熱損失を低減することが可能である。さらに、加熱器２００は、オーバーバーデン２１８に隣接して断熱されて、地層に対する熱損失を低減することが可能である。
【０１３９】
図２３は、オーバーバーデン２１８に隣接するコンジットインコンジット加熱器２００の一実施形態の断面図を表す。断熱材料３１４は、外側コンジット３０４と内側コンジット３０６との間に位置していてもよい。液体熱伝導流体は、内側コンジット３０６の中心を流れることが可能である。断熱材料３１４は、高温（例えば、５００℃を超える温度）で放熱を抑制するとともに、予備加熱および／または加熱の流量保証段階の間に、第２の熱伝導流体の流れを可能にする高多孔性断熱層であってもよい。通常動作の間に、外側コンジット３０４と、オーバーバーデン２１８に隣接する内側コンジット３０６との間の環状領域を介した流体の流れは、停止または抑制されることが可能である。
【０１４０】
断熱スリーブ２２４は、外側コンジット３０４のまわりに位置していてもよい。Ｕ字形状の坑井穴の各側の断熱スリーブが、加熱器の重量を支持することができるように、システムが加熱されていない場合、Ｕ字形状の加熱器の各側の断熱スリーブ２２４は、長い長さにわたって外側コンジット３０４にしっかりと結合されることが可能である。断熱スリーブ２２４は、加熱器２００が持ち上げられることを可能にする構造部材である外側部材を含み、加熱器の熱膨張を調整することが可能である。ケーシング２３８は、断熱スリーブ２２４を囲んでいてもよい。断熱セメント２３６は、ケーシング２３８をオーバーバーデン２１８に結合することが可能である。断熱セメント２３６は、伝導熱損失を低減する低熱伝導率セメントであってもよい。例えば、断熱セメント２３６は、蛭石／セメント骨材であってもよい。非反応性ガスは、断熱スリーブ２２４とケーシング２３８との間のギャップ２４２に導入されて、地層流体が坑井穴内で上昇することを抑制する、および／または断熱ガスブランケットをもたらすことができる。
【０１４１】
図２４は、地層内に位置したコンジットインコンジット加熱器（例えば、図２２で表された加熱器）に液体熱伝導流体をもたらす循環システム２０２の一実施形態の概略を表す。循環システム２０２は、熱供給２０４、圧縮機３１６、熱交換器３１８、排気システム３２０、液体貯蔵タンク３２２、流体移動機２１０（例えば、ポンプ）、供給マニホールド３２４、戻りマニホールド３２６、および第２の熱伝導流体循環システム３２８を含んでいてもよい。ある実施形態では、熱供給２０４は炉である。熱供給２０４用の燃料は、燃料ライン３３０を介して供給されることが可能である。制御バルブ３３２は、温度監視装置３３４によって測定されるような熱い熱伝導流体の温度に基づいて熱供給２０４に供給される燃料の量を調整することが可能である。
【０１４２】
熱供給２０４用の酸化剤は、酸化剤ライン３３６を介して供給されることが可能である。熱供給２０４からの排気は、排気システム３２０に熱交換器３１８を介して通ることが可能である。圧縮機３１６からの酸化剤は、熱供給２０４からの排気によって加熱される熱交換器３１８を通ることが可能である。
【０１４３】
実施形態によっては、バルブ３３８は、予備加熱の間に、および／または加熱器への流体の循環の始動の間に開かれて、加熱流体で第２の熱伝導流体循環システム３２８を供給することが可能である。実施形態によっては、排気ガスは、第２の熱伝導流体循環システム３２８によって加熱器を介して循環される。実施形態によっては、排気ガスは、第２の熱伝導流体循環システム３２８の１つまたは複数の熱交換器を通って、加熱器を介して循環される流体を加熱する。
【０１４４】
予備加熱の間に、第２の熱伝導流体循環システム３２８は、加熱器の内側コンジットおよび／または内側コンジットと外側コンジットとの間の環状領域に第２の熱伝導流体をもたらすことが可能である。ライン３４０は、加熱器の内側コンジットに流体をもたらす供給マニホールド３２４の一部に第２の熱伝導流体をもたらすことが可能である。ライン３４２は、加熱器の内側コンジットと外側コンジットとの間の環状領域に流体をもたらす供給マニホールド３２４の一部に第２の熱伝導流体をもたらすことが可能である。ライン３４４は、加熱器の内側コンジットから流体を戻す戻りマニホールド３２６の一部から第２の熱伝導流体を戻すことが可能である。ライン３４６は、加熱器の環状領域から流体を戻す戻りマニホールド３２６の一部から第２の熱伝導流体を戻すことが可能である。第２の熱伝導流体循環システム３２８のバルブ３４８は、供給マニホールド３２４および／または戻りマニホールド３２６に、または供給マニホールド３２４および／または戻りマニホールド３２６からの第２の熱伝導の流れを可能とする、または停止することが可能である。予備加熱の間に、バルブ３４８はすべて開いていてもよい。加熱の流量保証の段階の間に、ライン３４０用およびライン３４４用のバルブ３４８は閉まっていてもよく、ライン３４２用およびライン３４６用のバルブ３４８は開いていてもよい。熱供給２０４からの液体熱伝導流体は、加熱の流量保証の段階の間に、加熱器の内側コンジットに流体をもたらす供給マニホールド３２４の一部に供給されることができる。液体熱伝導流体は、加熱器の内側コンジットから流体を戻す戻りマニホールド３２６の一部から液体貯蔵タンク３２２に戻ることが可能である。通常動作の間に、バルブ３４８はすべて閉まっていてもよい。
【０１４５】
実施形態によっては、第２の熱伝導流体循環システム３２８は、モバイルシステムである。一旦加熱器を介した熱伝導流体の正常な流れが確立されれば、可動性の第２の熱伝導流体循環システム３２８は、移動され、開始されていない他の循環システムに取り付けられることが可能である。
【０１４６】
通常動作の間に、液体貯蔵タンク３２２は、戻りマニホールド３２６から熱伝導流体を受けることが可能である。液体貯蔵タンク３２２は、断熱および外部加熱されることが可能である。外部加熱は、液体貯蔵タンク３２２内でコイルを介して蒸気を循環させる蒸気循環システム３５０を含んでいてもよい。コイルを介して通された蒸気は、所望の温度で、または所望の温度範囲内で、液体貯蔵タンク３２２内で熱伝導流体を維持する。
【０１４７】
流体移動機２１０は、液体貯蔵タンク３２２から熱供給２０４に液体熱伝導流体を移動させることが可能である。実施形態によっては、流体移動機２１０は、液体貯蔵タンク３２２内に位置する水中ポンプである。貯蔵タンク内に流体移動機２１０を有することは、ポンプの使用温度範囲内の温度でポンプを正しく保存することが可能である。また、熱伝導流体は、ポンプ用の潤滑剤として機能することが可能である。１つまたは複数の余分のポンプシステムが、液体貯蔵タンク３２２内に位置していてもよい。主要ポンプシステムが中断する、または補修される必要がある場合、余分のポンプシステムが使用されることが可能である。
【０１４８】
熱供給２０４の始動の間に、バルブ３５２は、液体熱伝導流体を液体貯蔵タンクに導くことが可能である。地層内での加熱器の予備加熱が完了された後、バルブ３５２は、液体熱伝導流体を、予備加熱された加熱器の内側コンジットに液体熱伝導流体をもたらす供給マニホールド３２４の一部に導くように再構成されることが可能である。予備加熱された戻りコンジットの内側コンジットからの戻り液体熱伝導流体は、地層を通った熱伝導流体を受け、熱伝導流体を液体貯蔵タンク３２２に導く戻りマニホールド３２６の一部を通ることが可能である。
【０１４９】
流体循環システム２０２を使用し始めるために、液体貯蔵タンク３２２は、蒸気循環システム３５０を使用して加熱されることが可能である。熱伝導流体は、液体貯蔵タンク３２２に加えられることが可能である。熱伝導流体は、液体貯蔵タンク３２２内で溶解する固体粒子として加えられることが可能であり、または、液体熱伝導流体は、液体貯蔵タンクに加えられることが可能である。熱供給２０４は開始されることが可能であり、流体移動機２１０は、液体貯蔵タンク３２２から熱供給に、および戻って熱伝導流体を循環させるために使用されることが可能である。第２の熱伝導流体循環システム３２８は、供給マニホールド３２４および戻りマニホールド３２６に結合された地層内で加熱器を加熱するために使用されることが可能である。加熱器の内側コンジットに給送する供給マニホールド３２４の一部への第２の熱伝導流体の供給が停止されることが可能である。加熱器の内側コンジットから熱伝導流体を受ける戻りマニホールドの一部からの第２の熱伝導流体の戻りも停止されることが可能である。熱供給２０４からの熱伝導流体は、次いで加熱器の内側コンジットに導かれることが可能である。
【０１５０】
熱伝導流体は、内側コンジットから内側コンジットと外側コンジットとの間の環状領域に流体の流れを変更する流れ切り換え装置に加熱器の内側コンジットを流れることが可能である。熱伝導流体は、次いで、内側コンジットへ戻る流れを変更する流れ切り換え装置を通ることが可能である。加熱器に結合されたバルブは、流体循環システムに加熱器のすべてに対して熱伝導流体を一度に供給する代わりに、個々の加熱器への熱伝導流体の流れが連続して開始されることを可能にする。
【０１５１】
戻りマニホールド３２６は、第２の流体循環システムから供給される地層内の加熱器を通った熱伝導流体を受ける。戻りマニホールド３２６内の熱伝導流体は、液体貯蔵タンク３２２に導かれることが可能である。
【０１５２】
初期加熱の間に、第２の熱伝導流体循環システム３２８は、熱供給２０４から供給された熱伝導流体を受けない加熱器の一部を介して第２の熱伝導流体を循環させ続けることが可能である。実施形態によっては、第２の熱伝導流体循環システム３２８は、熱供給２０４から供給される熱伝導流体の流れと同じ方向に第２の熱伝導流体を導く。実施形態によっては、第２の熱伝導流体循環システム３２８は、熱供給２０４から供給される熱伝導流体の流れと反対方向に第２の熱伝導流体を導く。第２の熱伝導流体は、熱供給２０４から供給される熱伝導流体の連続する流れを確実にすることが可能である。地層から離れる第２の熱伝導流体が、熱伝導流体が熱供給２０４から供給される状態で、熱伝導により地層に供給される第２の熱伝導流体より熱い場合、第２の熱伝導流体の流れが停止されることが可能である。実施形態によっては、他の条件が選択された期間の後に満足される場合に、第２の熱伝導流体の流れは停止されることが可能である。
【０１５３】
本発明の種々の態様のさらなる変形および別の実施形態は、この説明を考慮して当業者に明らかとすることが可能である。従って、この説明は、例示としてのみ解釈され、本発明を実施する一般的な方法を当業者に教示するためのものである。当然のことながら、本明細書に示され、記載された本発明の形態は、現在、好ましい実施形態になる。要素および材料は、本明細書で例証され、説明されたものに代用されてもよく、部品およびプロセスは、逆にされてもよく、本発明の特定の特徴が独立して利用されてもよく、すべては、本発明のこの説明の利点を有した後、当業者に明らかとなる。次の請求の範囲に記載されるように、本発明の精神および範囲から逸脱することなく、本明細書に記載された要素において変更が行われることが可能である。さらに、当然のことながら、本明細書に独立して記載された特徴は、ある実施形態では、組み合わせられることが可能である。
【図１】
0005611962.tif 000003
【図２】
0005611962.tif 000004
【図３】
0005611962.tif 000005
【図４】
0005611962.tif 000006
【図５】
0005611962.tif 000007
【図６】
0005611962.tif 000008
【図７】
0005611962.tif 000009
【図８】
0005611962.tif 000010
【図９】
0005611962.tif 000011
【図１０Ａ】
0005611962.tif 000012
【図１０Ｂ】
0005611962.tif 000013
【図１０Ｃ】
0005611962.tif 000014
【図１１】
0005611962.tif 000015
【図１２】
0005611962.tif 000016
【図１３】
0005611962.tif 000017
【図１４】
0005611962.tif 000018
【図１５】
0005611962.tif 000019
【図１６】
0005611962.tif 000020
【図１７】
0005611962.tif 000021
【図１８】
0005611962.tif 000022
【図１９】
0005611962.tif 000023
【図２０】
0005611962.tif 000024
【図２１】
0005611962.tif 000025
【図２２】
0005611962.tif 000026
【図２３】
0005611962.tif 000027
【図２４】
0005611962.tif 000028